(57)【特許請求の範囲】
【請求項１】
複数の入球口が設けられた遊技盤面に向かって遊技球を発射し、何れかの入球口に遊技球が入球すると賞球が払い出される遊技を行う弾球遊技機において、
前記遊技盤面上に設けられて遊技球が入球可能な始動口と、
前記遊技盤面上に設けられ、遊技球が入球し得ない閉鎖状態と遊技球が入球可能な開口状態とに切り換え可能に構成された大入賞口と、
前記大入賞口を前記開口状態とする態様として、標準の開口態様と、該標準の開口態様よりも前記大入賞口への入球が困難な特定開口態様とを記憶している開口態様記憶手段と、
前記始動口に遊技球が入球することに基づき抽選を行う抽選手段と、
前記抽選に当選すると、前記大入賞口を前記標準の開口態様で開口させる標準当り遊技または前記大入賞口を前記特定開口態様で開口させる特殊当り遊技を実行する当り遊技実行手段と、
前記始動口に遊技球が入球した場合と、前記大入賞口に遊技球が入球した場合とに、所定数の賞球を払い出す賞球払出手段と、
前記遊技盤面上に設けられて遊技球が通過可能な通過ゲートと、
前記特殊当り遊技が実行されている間にだけ有効となって前記通過ゲートを通過する遊技球を検出する遊技球検出手段と、
前記遊技球検出手段により検出された遊技球の数を計数する計数手段と、
遊技の進行に合わせて行われる遊技演出の内容を、前記計数手段により計数される遊技球の数に対応付けて記憶する遊技演出内容記憶手段と、
前記特殊当り遊技の終了後、該特殊当り遊技の実行中に前記計数手段により計数された遊技球の数に応じて、前記遊技演出内容記憶手段に記憶されている前記遊技演出を実行する遊技演出実行手段と、
を備えることを特徴とする弾球遊技機。
【請求項２】
請求項１に記載の弾球遊技機において、
遊技中に特定の条件が成立すると作動を開始して、前記抽選手段による抽選に当選する確率を通常時の確率よりも高確率とする確率変動手段を備え、
前記当り遊技実行手段は、前記特殊当り遊技として、前記確率変動手段の作動開始契機となる第１特殊当り遊技と、前記確率変動手段の作動開始契機とならない第２特殊当り遊技と、の何れかを実行可能に構成され、
前記遊技演出内容記憶手段は、前記確率変動手段が作動しているか否かを遊技者に報知する内容の演出を記憶していることを特徴とする弾球遊技機。
【請求項３】
請求項１または請求項２に記載の弾球遊技機において、
前記遊技盤面には、該遊技盤面上を流下する遊技球が前記大入賞口に入球し得る第１の流下通路と、該第１の流下通路よりも前記大入賞口に入球し難い第２の流下通路とが形成されており、
前記通過ゲートは、前記第２の流下通路上に設けられていることを特徴とする弾球遊技機。
【発明の詳細な説明】
【技術分野】
【０００１】
本発明は、遊技盤面に向けて遊技球を発射することによって遊技を行う弾球遊技機に関する。
【背景技術】
【０００２】
遊技球の入球可能な複数の入球口が設けられた遊技盤面上に遊技球を発射して、何れかの入球口に遊技球が入球すると、所定個数の遊技球が賞球として払い出される遊技を行う弾球遊技機が広く知られている。通常、この弾球遊技機には、開閉可能に構成されているが通常時は閉鎖されている特別な入球口（可変入球口）が設けられており、そして、遊技中に所定条件が成立すると抽選を行って抽選で当りが発生すると、可変入球口を開口状態とすることにより、大当り遊技を開始するようになっている。
【０００３】
また今日では、可変入球口を開口状態とはするものの、その開口態様を、遊技球が容易には入球し得ない特殊な態様で行う特殊な当り遊技を備えた弾球遊技機も提案されている。例えば、可変入球口を極短時間だけ開口状態とすることで、遊技状態が突然に切り換わったかのような印象を遊技者に与えることを狙った弾球遊技機や（特許文献１）、あるいは、突然に切り換わった遊技状態が、どのような遊技状態であるかを遊技者に悟られ難くするために、可変入球口が極短時間だけ開口状態となっても、遊技状態が切り換わる場合と切り換わらない場合とを設けた弾球遊技機が提案されている（特許文献２）。
【０００４】
【特許文献１】特開２００４−３４４６４６号公報
【特許文献２】特開２００７−０３７８０３号公報
【発明の開示】
【発明が解決しようとする課題】
【０００５】
しかし、提案されている弾球遊技機では、特殊な当り遊技が発生すると、遊技者が遊技球を発射することを止めてしまう（いわゆる止め打ちを行う）ことがあるという問題があった。すなわち、特殊な当り遊技中は可変入球口に遊技球が入球し難いので、そのことを知っている熟達した遊技者は、特殊な当り遊技が終了するまで遊技球の発射を中止する傾向がある。その結果、本来は公平であるべき遊技が、熟達した遊技者と一般の遊技者との間では不公平になってしまうという問題があった。また、特殊な当り遊技中に止め打ちが行われると遊技球の発射球数が減少するので、遊技ホールにとっても、遊技機の稼働率が低下するという問題が生じていた。
【０００６】
この発明は、従来の技術における上述した課題を解決するためになされたものであり、遊技球が入球し難い特殊な当り遊技中であっても、止め打ちが行われることを回避可能な弾球遊技機の提供を目的とする。
【課題を解決するための手段】
【０００７】
上述した課題の少なくとも一部を解決するために、本発明の弾球遊技機は次の構成を採用した。すなわち、
複数の入球口が設けられた遊技盤面に向かって遊技球を発射し、何れかの入球口に遊技球が入球すると賞球が払い出される遊技を行う弾球遊技機において、
前記遊技盤面上に設けられて遊技球が入球可能な始動口と、
前記遊技盤面上に設けられ、遊技球が入球し得ない閉鎖状態と遊技球が入球可能な開口状態とに切り換え可能に構成された大入賞口と、
前記大入賞口を前記開口状態とする態様として、標準の開口態様と、該標準の開口態様よりも前記大入賞口への入球が困難な特定開口態様とを記憶している開口態様記憶手段と、
前記始動口に遊技球が入球することに基づき抽選を行う抽選手段と、
前記抽選に当選すると、前記大入賞口を前記標準の開口態様で開口させる標準当り遊技または前記大入賞口を前記特定開口態様で開口させる特殊当り遊技を実行する当り遊技実行手段と、
前記始動口に遊技球が入球した場合と、前記大入賞口に遊技球が入球した場合とに、所定数の賞球を払い出す賞球払出手段と、
前記遊技盤面上に設けられて遊技球が通過可能な通過ゲートと、
前記特殊当り遊技が実行されている間にだけ有効となって前記通過ゲートを通過する遊技球を検出する遊技球検出手段と、
前記遊技球検出手段により検出された遊技球の数を計数する計数手段と、
遊技の進行に合わせて行われる遊技演出の内容を、前記計数手段により計数される遊技球の数に対応付けて記憶する遊技演出内容記憶手段と、
前記特殊当り遊技の終了後、該特殊当り遊技の実行中に前記計数手段により計数された遊技球の数に応じて、前記遊技演出内容記憶手段に記憶されている前記遊技演出を実行する遊技演出実行手段と、
を備えることを特徴とする。
【０００８】
かかる本発明の弾球遊技機においては、遊技中に遊技球が始動口に入球したことに基づいて抽選が行われ、抽選に当選した場合には、大入賞口を標準の開口態様で開口させる標準当り遊技、または、大入賞口を特定開口態様で開口させる特殊当り遊技が行われる。大入賞口を特定開口態様で開口した場合は、標準の開口態様で開口した場合よりも遊技球の入球が困難となる。また、始動口に遊技球が入球した場合、あるいは大入賞口に遊技球が入球した場合には、所定数の賞球が払い出される。そして、大入賞口を特定開口態様で開口させる特殊当り遊技が開始されると、特殊当り遊技が実行されている間だけ、通過ゲートを通過した遊技球を検出して、遊技球の数を計数しておき、特殊当り遊技が終了した後は、通過ゲートを通過した遊技球数に応じて記憶された内容の遊技演出を実行する。
【０００９】
通過ゲートへの遊技球の通過は、始動口への遊技球の入球とは異なり、賞球払出手段による賞球の払い出しや、抽選手段による抽選の開始契機とはならないので、遊技者が遊技球を発射すれば比較的容易に通過ゲートに遊技球を通過させることができる。このため本発明の弾球遊技機では、大入賞口に遊技球が入球し難い特殊当り遊技が行われている場合でも、遊技者は通過ゲートに遊技球を通過させて、通過した遊技球数に応じた演出を見ようとして遊技球を発射する。その結果、特殊当り遊技中に止め打ちが行われることを回避することが可能となる。
【００１０】
また、上述した本発明の弾球遊技機においては、次のようにしても良い。先ず、遊技中に特定の条件が成立すると、抽選による抽選に当選する確率を通常時の確率よりも高確率とする確率変動手段を設ける。また、特殊当り遊技として、確率変動手段の作動開始契機となる第１特殊当り遊技と、確率変動手段の作動開始契機とならない第２特殊当り遊技とを設ける。そして、特殊当り遊技中に通過ゲートを通過した遊技球の数に応じて、確率変動手段が作動しているか否かを、遊技者に報知するようにしてもよい。
【００１１】
抽選の結果が当りになる確率が高確率になっているか否か（確率変動手段が作動しているか否か）は、遊技者にとっては大きな関心事である。従って、特殊当り遊技中に通過ゲートを通過した遊技球数に応じて、現在の確率が高確率になっているか否かが報知されるのであれば、遊技者は、特殊当り遊技中に何とかして遊技球を通過ゲートに通過させようとして、遊技球を発射するようになる。その結果、特殊当り遊技中に止め打ちが行われることを、より一層確実に回避することが可能となる。
【００１２】
また、上述した本発明の弾球遊技機においては、次のような位置に通過ゲートを設けても良い。先ず、遊技球が流下することで大入賞口に入球し得る第１の流下通路と、第１の流下通路よりも大入賞口に入球し難い第２の流下通路とを、遊技盤面上に形成しておく。そして、第２の流下通路上に、通過ゲートを設けることとしてもよい。
【００１３】
こうすれば、特殊当り遊技中に通過ゲートを狙って発射した遊技球が、大入賞口に入球することを回避することができる。その結果、特殊当り遊技中に遊技球を発射して通過ゲートを通過させることで、遊技者にとっては、通過した遊技球数に応じた演出が行われるというメリットを得ることができ、遊技ホールにとっても、特殊当り遊技中に遊技球を回収することができるというメリットを得ることが可能となる。
【発明を実施するための最良の形態】
【００１４】
以下では、上述した本願発明の内容を明確にするために、次のような順序に従って実施例を説明する。
Ａ．パチンコ機の装置構成：
Ａ−１．装置前面側の構成：
Ａ−２．遊技盤の構成：
Ａ−３．制御回路の構成：
Ｂ．遊技の概要：
Ｃ．制御の概要：
Ｃ−１．遊技制御処理：
Ｃ−２．特別図柄遊技処理：
Ｃ−３．特別電動役物遊技処理：
Ｄ．当り遊技演出処理：
Ｅ．図柄変動演出処理：
【００１５】
Ａ．パチンコ機の装置構成  ：
Ａ−１．装置前面側の構成  ：
図１は、本実施例の遊技機１の正面図である。図１に示すように、遊技機１の前面部は、大きくは、前面枠４、上皿部５、下皿部６、遊技盤１０などから構成されている。なお、図１では遊技盤１０の詳細な図示を省略している。前面枠４は、図示しない中枠３に取り付けられており、中枠３は図示しない本体枠２に取り付けられている。中枠３はプラスチック材料で成形されており、本体枠２の内側に取り付けられている。本体枠２は、木製の板状部材を組み立てて構成された略長方形の枠体であり、遊技機１の外枠を形成している。前面枠４の一端は、中枠３に対して回動可能に軸支されており、中枠３の一端は本体枠２に対して回動可能に軸支されている。遊技盤１０は、中枠３の前面側に着脱可能に取り付けられており、その前面側が前面枠４で覆われている。
【００１６】
前面枠４は、プラスチック材料で成形されており、略中央部には、円形状の開口部４ａが形成されている。この開口部４ａにはガラス板等の透明板がはめ込まれており、奥側に配置される遊技盤１０の盤面が視認可能となっている。また、前面枠４には、遊技効果を高めるための各種ランプ類４ｂ〜４ｆが設けられている。
【００１７】
前面枠４の下方には、上皿部５が設けられており、上皿部５の下方には下皿部６が設けられている。また、前面枠４の右側には施錠装置９が設けられており、前面枠４の左側にはプリペイドカード式の球貸装置１３（ＣＲユニット）が設けられている。
【００１８】
上皿部５には、皿状の凹部と、凹部を取り巻くように形成された皿外縁部５ａとが設けられている。遊技球は、上皿部５に形成された凹部に投入されて、発射装置ユニット１２（図５参照）に供給される。また、皿外縁部５ａには、遊技球の球貸スイッチ５ｂ、返却スイッチ５ｃ、投入した遊技球を排出するための排出ボタンなど、各種のボタン類が設けられている。さらに、上皿部５の略中央部には複数の長孔とその上部に多数の小穴が形成された第１スピーカ５ｙが設けられている。
【００１９】
下皿部６には、遊技機１の内部から遊技球を排出するための排出口６ａが設けられており、排出された遊技球は下皿部６内に貯留される。また、下皿部６の下面の左右には、第２スピーカ６ｃが設けられている。
【００２０】
下皿部６の右端には発射ハンドル８が設けられている。発射ハンドル８には、遊技者がハンドルに触れていることを検出するタッチスイッチ８ａが設けられている。発射ハンドル８の回転軸は、下皿部６の奥側に搭載された図示しない発射装置ユニット１２に接続されており、遊技者が発射ハンドル８を回転させると、その動きが発射装置ユニット１２に伝達され、ユニットに内蔵された図示しない発射モータが回転して、回転角度に応じた強さで遊技球が発射される。発射ハンドル８の左側面には、遊技者が操作して遊技球の発射を一時的に停止する発射停止スイッチ８ｂが配置されている。
【００２１】
Ａ−２．遊技盤の構成  ：
図２は、遊技盤１０の盤面構成を示す説明図である。前述したように、遊技盤１０は中枠３の前面側に着脱可能に取り付けられている。図２に示すように、遊技盤１０の中央には、外レール１４と内レール１５とによって囲まれた略円形状の遊技領域１１が形成されている。
【００２２】
遊技領域１１の略中央には中央装置２６が設けられている。また、中央装置２６の下方には、始動口（普通電動役物）１７が設けられ、中央装置２６の下方には、変動入賞装置１８が設けられている。始動口（普通電動役物）１７は、左右に一対の翼片部が開閉可能に構成されたいわゆるチューリップ式の始動口である。始動口１７の内部には、遊技球の通過を検出する始動口（普通電動役物）スイッチ１７ｓ（図５参照）と、一対の翼片部を作動させるための普通電動役物（始動口）ソレノイド１７ｍ（図５参照）とが備えられている。一対の翼片部が左右に開くと、遊技球の入球可能性が大きくなる開口状態となり、一対の翼片部が直立すると、遊技球の入球可能性が小さくなる通常状態となる。
【００２３】
中央装置２６のほぼ中央には、演出表示装置２７が設けられている。演出表示装置２７は、液晶画面を搭載しており、意匠図柄や背景図柄などの種々の図柄を変動表示および停止表示させることが可能となっている。演出表示装置２７の画面上で表示される各種図柄については後述する。
【００２４】
中央装置２６の左下には、図柄表示装置２８が設けられている。詳細な構成については後述するが、図柄表示装置２８では普通図柄や特別図柄などを変動停止表示することが可能となっている。
【００２５】
遊技領域１１の左には、普通図柄作動ゲート３６が設けられており、このゲートの内部には、遊技球の通過を検出するゲートスイッチ３６ｓが設けられている。更に、普通図柄作動ゲート３６と中央装置２６との間には、ランプ風車２４が設けられている。これら各遊技装置の間および周辺には、多数の障害釘２３が設けられている。
【００２６】
中央装置２６の下方に設けられた変動入賞装置１８には、ほぼ中央に大入賞装置３１が設けられている。この大入賞装置３１は、略長方形状に大きく開口する大入賞口３１ｄや、大入賞口３１ｄを開閉するための開閉扉３１ｅ、開閉扉３１ｅを作動させるための大入賞口ソレノイド３１ｍ（図５参照）などから構成されている。後述する所定の条件が成立して開閉扉３１ｅが開動作することで、大入賞口３１ｄは開口状態となり、この結果、遊技球が高い確率で大入賞口３１ｄに入球することとなって、遊技者にとって有利な遊技状態である大当り遊技状態が開始される。大入賞口３１ｄの内部には、大入賞口スイッチ３１ｓが設けられており、大入賞口３１ｄに入賞した遊技球を検出することが可能となっている。また、詳細には後述するが、本実施例の遊技機１では、遊技球が容易には入球し得ないような、特殊な態様（特定開口態様）で大入賞口３１ｄが開口する特殊な当り遊技（特殊当り遊技）も設けられている。
【００２７】
中央装置２６の右側には、特別通過ゲート３７が設けられている。この特別通過ゲート３７は、大入賞口３１ｄで特殊な当り遊技が行われている場合にだけ有効となって、遊技球が通過したことを検知する特別な通過ゲートである。普通図柄作動ゲート３６と同様に、特別通過ゲート３７にもゲートスイッチ（特別ゲートスイッチ３７ｓ）が組み込まれており（図５参照）、遊技球が通過したことを検出することが可能となっている。
【００２８】
尚、特別通過ゲート３７は、中央装置２６の右側に設けられていることから、特別通過ゲート３７に遊技球を通過させるためには、中央装置２６の右側を狙って遊技球を発射する必要がある。そして、中央装置２６の右側に発射された遊技球は、遊技領域１１の右側を流下していく。これに対して、普通図柄作動ゲート３６は中央装置２６の左側に設けられているから、通常の遊技時は、遊技者は中央装置２６の左側を狙って遊技球を発射し、遊技球は遊技領域１１の左側を流下していく。このように、遊技球は中央装置２６の右側または左側の何れも流下し得るが、右側を流下する遊技球が大入賞口３１に到達するまでに要する時間（流下経路の長さ）は、左側を流下する遊技球のそれに比べて長くなる。このため、一定期間内における大入賞口３１ｄへの遊技球の入球率は、遊技領域１１の左側を流下する遊技球の方が遊技領域１１の右側を流下する遊技球よりも高くなるので、左側を流下する遊技球は大入賞口３１ｄに入球し易く、右側を流下する遊技球は大入賞口３１ｄに入球し難いといえる。特に、遊技球が入球し得ないような特殊な態様（開口時間が極めて短かい態様、開口量が少ない態様など）で大入賞口３１ｄが開口する場合には、遊技領域１１の右側を流下する遊技球が大入賞口３１ｄに入球することは殆どない。従って、中央装置２６の左側に形成された遊技球の流下通路が、本発明における「第１の流下通路」に対応しており、中央装置２６の右側に形成された遊技球の流下通路が、本発明における「第２の流下通路」に対応している。そして、中央装置２６の右側に設けられた特別通過ゲート３７が、本発明における「通過ゲート」に対応している。
【００２９】
遊技盤１０の下方にはアウト口４８が設けられ、そのアウト口４８の下部にはバック球防止部材５８が設けられている。バック球防止部材５８は、遊技領域１１に到達せず戻ってきた遊技球が再び発射位置に戻ることを防止する機能を有している。
【００３０】
図３は、本実施例の遊技機１に搭載された図柄表示装置２８の構成を示す説明図である。図示されているように、本実施例の図柄表示装置２８は、略矩形の領域内に１２個の小さな発光ダイオード（ＬＥＤ）が組み込まれて構成されている。これら１２個のＬＥＤのうちの、３個のＬＥＤは普通図柄表示部２９を構成しており、残りの９個のＬＥＤは特別図柄表示部３０を構成している。更に、普通図柄表示部２９は、普通図柄を表示するための１個のＬＥＤ（以下、普通図柄ＬＥＤ２９ａと呼ぶ）と、普通図柄の保留数を表示するための２個のＬＥＤ（以下、普図保留表示ＬＥＤ２９ｂと呼ぶ）とから構成されている。また、特別図柄表示部３０は、特別図柄を表示するための７個のＬＥＤ（以下、特別図柄ＬＥＤ３０ａと呼ぶ）と、特別図柄の保留数（以下、特図保留数と呼ぶ）を表示するための２個のＬＥＤ（以下、特図保留表示ＬＥＤ３０ｂと呼ぶ）とから構成されている。本実施例の図柄表示装置２８が、これら１２個のＬＥＤを用いて、普通図柄や、特別図柄、特図保留数を表示する様子については後述する。
【００３１】
図４は、本実施例の遊技機１に搭載された演出表示装置２７の画面構成を示す説明図である。前述したように、演出表示装置２７は、主に液晶表示画面を用いて構成されており、液晶画面上には、３つの意匠図柄２７ａ，２７ｂ，２７ｃと、その背景の背景図柄２７ｄが表示されている。このうち、３つの意匠図柄２７ａ，２７ｂ，２７ｃは、図３に示した特別図柄３０の表示に合わせて種々の態様で変動表示され、遊技を演出することが可能となっている。
【００３２】
Ａ−３．制御回路の構成  ：
次に、本実施例の遊技機１における制御回路の構成について説明する。図５は、本実施例の遊技機１における制御回路の構成を示したブロック図である。図示されているように遊技機１の制御回路は、多くの制御基板や、各種基板、中継端子板などから構成されているが、その機能に着目すると、遊技の基本的な進行や賞球に関わる当否についての制御を司る主制御基板２００と、図柄やランプや効果音を用いた遊技の演出の制御を司るサブ制御基板２２０と、サブ制御基板２２０の制御の下で演出表示装置２７の具体的な制御を行う演出制御基板２３０と、貸球や賞球を払い出す動作の制御を司る払出制御基板２４０と、遊技球の発射に関する制御を司る発射制御基板２６０などから構成されている。これら制御基板は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭなど、種々の周辺ＬＳＩがバスで相互に接続されて構成されている。また、図５中に示した矢印の向きは、データあるいは信号を入出力する方向を表している。尚、図５では、主制御基板２００に搭載されたＣＰＵ２０１や、ＲＯＭ２０２、ＲＡＭ２０３、およびサブ制御基板２２０に搭載されたＣＰＵ２２１や、ＲＯＭ２２２、ＲＡＭ２２３のみが図示されている。
【００３３】
図示されているように主制御基板２００は、始動口スイッチ１７ｓや、大入賞口スイッチ３１ｓ、ゲートスイッチ３６ｓなどから遊技球の検出信号を受け取って、遊技の基本的な進行や賞球に関わる当否を決定した後、サブ制御基板２２０や、払出制御基板２４０、発射制御基板２６０などに向かって、各種の動作を指令するコマンドを出力する。また、主制御基板２００には、始動口１７に設けられた一対の翼片部を開閉させるための普通電動役物ソレノイド１７ｍや、大入賞口３１ｄを開閉させるための大入賞口ソレノイド３１ｍ、更には、普通図柄や特別図柄の変動停止表示を行う図柄表示装置２８などが中継端子板を介して接続されており、各種ソレノイド１７ｍ，３１ｍ、および図柄表示装置２８に向かって信号を出力することにより、これらの動作の制御も行っている。
【００３４】
サブ制御基板２２０は、主制御基板２００からの各種コマンドを受け取ると、コマンドの内容を解析して、その結果に応じた遊技の演出を行う。すなわち、前述した演出表示装置２７の表示制御を行う演出制御基板２３０に対して表示内容を指定するコマンドを出力したり、各種のスピーカ５ｙ、６ｃを駆動するアンプ基板２２４、装飾用の各種ＬＥＤやランプを駆動する装飾駆動基板２２６に駆動信号を出力したりすることによって、遊技の演出を行う。また、図２を用いて前述したように、本実施例の遊技機１には、特殊な当り遊技の間にだけ遊技球の通過を検知する特別通過ゲート３７も設けられており、特別通過ゲート３７内に組み込まれている特別ゲートスイッチ３７ｓは、サブ制御基板２２０に接続されている。詳細には後述するが、本実施例の遊技機１では、サブ制御基板２２０が演出内容を決定する際に、特別通過ゲート３７を通過した遊技球の個数も考慮して決定することで、遊技者によって止め打ちが行われることを回避可能となっている。
【００３５】
払出制御基板２４０は、いわゆる貸球や賞球の払い出しに関する各種の制御を司っている。例えば、遊技者が前述した上皿部５に設けられた球貸スイッチ５ｂや返却スイッチ５ｃを操作すると、この信号は、球貸表示基板２４２から中継端子板を介して、球貸装置１３に伝達される。球貸装置１３は、払出制御基板２４０とデータをやり取りしながら、貸球の払い出しを行う。また、主制御基板２００が賞球の払出コマンドを出力すると、このコマンドを払出制御基板２４０が受け取って、払出モータ１０９ｍに駆動信号を出力することによって賞球の払い出しが行われる。
【００３６】
Ｂ．遊技の概要  ：
次に、上述した構成を有する本実施例の遊技機１で行われる遊技の概要について簡単に説明しておく。
【００３７】
本実施例の遊技機１では、次のようにして遊技が行われる。先ず、遊技者が上皿部５の凹部に遊技球を投入して発射ハンドル８を回転させると、上皿部５に投入された遊技球が、１球ずつ発射装置ユニット１２に供給されて、図２を用いて前述した遊技領域１１に発射される。遊技球を打ち出す強さは、発射ハンドル８の回転角度によって調整することが可能となっており、遊技者は発射ハンドル８の回転角度を変化させることによって、遊技球の狙いを付けることができる。
【００３８】
発射した遊技球が、遊技領域１１の左側に設けられた普通図柄作動ゲート３６を通過すると、図柄表示装置２８において普通図柄の変動表示が開始される。図３を用いて前述したように、図柄表示装置２８には普通図柄表示部２９が設けられており、普通図柄表示部２９には、普通図柄ＬＥＤ２９ａおよび普図保留表示ＬＥＤ２９ｂが搭載されている。このうち、普通図柄ＬＥＤ２９ａを用いて普通図柄の変動表示を行う。
【００３９】
図６（ａ）は、普通図柄が変動表示している様子を概念的に示した説明図である。本実施例の遊技機１では、普通図柄ＬＥＤ２９ａの点滅を繰り返すことによって、普通図柄の変動表示を行う。図では、普通図柄ＬＥＤ２９ａが点灯している状態を放射状の実線で表し、消灯している状態を破線で表している。そして、点滅している普通図柄ＬＥＤ２９ａが点灯状態で停止した場合には、普通図柄の当りとなって、始動口１７が所定時間（例えば０．５秒間）だけ開口状態となる。逆に、消灯状態で停止した場合には普通図柄の外れとなって、始動口１７が開口することはない。
【００４０】
また、普通図柄の変動表示中に遊技球が普通図柄作動ゲート３６を通過した場合は、この遊技球の通過が保留数として蓄えられて、現在の普通図柄の変動表示が終了後に、変動表示が行われる。普通図柄の保留は最大４個まで蓄えることが可能となっており、蓄えられている普通図柄の保留数は、普図保留表示ＬＥＤ２９ｂによって表示される。
【００４１】
図６（ｂ）は、図柄表示装置２８に設けられた普図保留表示ＬＥＤ２９ｂによって普通図柄の保留数が表示される様子を示した説明図である。普通図柄の保留が無い場合（すなわち、保留が０個の場合）は、２個の普図保留表示ＬＥＤ２９ｂは何れも消灯している。保留が１個の場合は、向かって左側の普図保留表示ＬＥＤ２９ｂは消灯したままで、右側の普図保留表示ＬＥＤ２９ｂが点灯する。保留が２個になると、今度は、右側の普図保留表示ＬＥＤ２９ｂに加えて左側の普図保留表示ＬＥＤ２９ｂが点灯する。次いで、保留が３個になると、右側の普図保留表示ＬＥＤ２９ｂが点滅し、左側の普図保留表示ＬＥＤ２９ｂが点灯する。更に保留が増加して上限値である４個になると、左右の普図保留表示ＬＥＤ２９ｂが点滅した状態となる。このように普通図柄表示部２９では、２個の普図保留表示ＬＥＤ２９ｂを点灯、消灯、あるいは点滅させることによって、０個から４個までの保留数を表示することが可能となっている。
【００４２】
また、図３を用いて前述したように、図柄表示装置２８には、特別図柄表示部３０が設けられており、始動口１７に遊技球が入球すると、特別図柄の変動表示を開始した後、以下に説明する何れかの図柄で停止表示するようになっている。
【００４３】
図７は、特別図柄の停止表示態様を概念的に示した説明図である。図３を用いて前述したように、特別図柄表示部３０は７個のＬＥＤによって構成されており、これらを点灯させることによって特別図柄を表示する。図７に示されているように、本実施例の遊技機１では、１０通りの特別図柄の停止表示態様が設けられており、それぞれの停止表示態様に固有の点灯状態が設定されている。また、これら１０種類の特別図柄の停止表示態様は、大きく５つの図柄に分類されている。先ず、図中の最上段に示した２つの特別図柄の停止表示態様は「通常大当り図柄」に分類されており、上から２段目に示した２つの特別図柄の停止表示態様は「確変大当り図柄」に分類されている。また、上から３段目に示した２つの特別図柄の停止表示態様は「２ラウンド（２Ｒ）確変大当り図柄」に分類されており、上から４段目に示した２つの特別図柄の停止表示態様は「小当り図柄」に分類されている。これら８種類の停止図柄が、いわゆる当り図柄となる。更に、最下段に示した２つの特別図柄の停止表示態様は「外れ図柄」に分類されている。
【００４４】
特別図柄表示部３０では、７個のＬＥＤ（特別図柄ＬＥＤ３０ａ）を所定時間にわたって点滅させることによって特別図柄の変動表示を行い、所定時間が経過すると、いずれかの停止表示態様に従って停止表示される。そして、何れかの当り図柄が停止表示された場合には、大入賞口３１ｄが開口状態となって当り遊技が開始される。このうち、「通常大当り図柄」または「確変大当り図柄」の何れかの当り図柄が停止表示された場合には、発射された遊技球が高い確率で入球する態様で、大入賞口３１ｄが開口するいわゆる大当り遊技が開始される。これに対して、「２Ｒ確変大当り図柄」または「小当り図柄」で停止表示された場合には、遊技球が容易には入球し得ないような特殊な態様で、大入賞口３１ｄが開口する特殊な当り遊技が開始される。これら特殊な当り遊技については、後ほど詳しく説明する。
【００４５】
また、変動表示していた特別図柄が、図７の上から２段目に示した「確変大当り図柄」、あるいは上から３段目の「２Ｒ確変大当り図柄」で停止表示した場合には、所定の条件が成立するまで（例えば、次の大当り遊技が発生するまで、あるいは特別図柄の変動表示が所定回数行われるまで等）、特別図柄が大当り図柄で停止表示する確率が高確率に設定された状態（いわゆる、確率変動状態、あるいは単に確変状態）となる。
【００４６】
尚、始動口１７に遊技球が入球したにも拘わらず、特別図柄の変動表示を開始できない場合（例えば、特別図柄が変動表示中であった場合、あるいは大当り遊技中であった場合など）であっても、始動口１７に遊技球が入球したことは特別図柄の保留数（特図保留数）として蓄えられている。このため、特別図柄の変動表示が可能になった時点で、蓄えられていた保留数を使って、変動表示を行うことが可能となっている。尚、蓄えられている特図保留数については特図保留表示ＬＥＤ３０ｂによって表示される。特図保留表示ＬＥＤ３０ｂを用いて特別図柄の保留数を表示する態様は、図６（ｂ）に示した普図保留表示ＬＥＤ２９ｂの場合と全く同様であるため、ここでは説明は省略する。
【００４７】
上述した特別図柄の変動表示および停止表示に合わせて、演出表示装置２７では意匠図柄を用いた各種の演出が行われる。図８は、演出表示装置２７で行われる演出の一態様を例示した説明図である。図４を用いて前述したように、演出表示装置２７を構成する液晶表示画面には、３つの意匠図柄２７ａ，２７ｂ，２７ｃが表示されている。前述した図柄表示装置２８で特別図柄の変動表示が開始されると、演出表示装置２７においても、これら３つの意匠図柄２７ａ，２７ｂ，２７ｃが一斉に変動表示を開始する。本実施例では、意匠図柄として「１」〜「９」までの９つの数字を意匠化した図柄が用意されている。
【００４８】
図８（ａ）には、３つの意匠図柄２７ａ，２７ｂ，２７ｃが一斉に変動表示している様子が概念的に示されている。変動表示が開始された後、所定時間が経過すると、初めに左意匠図柄２７ａが「１」〜「９」のいずれかの図柄で停止表示され、次いで、右意匠図柄２７ｃが停止表示され、最後に中意匠図柄２７ｂが停止表示される。これら演出表示装置２７で停止表示される３つの意匠図柄２７ａ，２７ｂ，２７ｃの組合せは、前述した図柄表示装置２８で停止表示される特別図柄の組合せと連動するように構成されている。たとえば、図柄表示装置２８の特別図柄が「通常大当り図柄」または「確変大当り図柄」で停止する場合は、演出表示装置２７の３つの意匠図柄２７ａ，２７ｂ，２７ｃが同じ図柄で停止表示される。特に、図柄表示装置２８の特別図柄が「確変当り図柄」で停止する場合は、演出表示装置２７の３つの意匠図柄２７ａ，２７ｂ，２７ｃが、奇数を表す同じ図柄で停止表示される。これに対して、「２Ｒ確変大当り図柄」または「小当り図柄」で停止する場合は、３つの意匠図柄２７ａ，２７ｂ，２７ｃは同じ図柄で揃わない所定の組合せで停止表示される。更に、図柄表示装置２８の特別図柄が外れ図柄で停止する場合は、「２Ｒ確変大当り図柄」または「小当り図柄」に対応する組合せを除いて、３つの意匠図柄２７ａ，２７ｂ，２７ｃは同じ図柄で揃わない任意の組合せで停止表示される。
【００４９】
このように、図柄表示装置２８で表示される特別図柄と、演出表示装置２７で表示される３つの意匠図柄２７ａ，２７ｂ，２７ｃとは、表示内容が互いに対応しており、それぞれの表示図柄が確定する（停止表示される）タイミングも同じに設定されている。しかも、図２に示すように、図柄表示装置２８よりも演出表示装置２７の方が目に付き易い位置に設けられており、表示画面も大きく、表示内容も分かり易いので、遊技者は演出表示装置２７の画面を見ながら遊技を行うことが通常である。従って、演出表示装置２７の表示画面上で初めに停止表示される左意匠図柄２７ａと、続いて停止表示される右意匠図柄２７ｃとが同じ図柄であった場合には、最後に停止表示される中意匠図柄２７ｂも同じ図柄で停止して、いわゆる大当り遊技状態になるのではないかと、遊技者は図柄の変動を注視することになる。このように、２つの意匠図柄を同じ図柄で停止した状態で、最後の図柄を変動表示させる演出は、リーチ演出と呼ばれており、リーチ演出を行うことで遊技者の興趣を高めることが可能となっている。
【００５０】
Ｃ．遊技機の制御内容  ：
以下では、上述した遊技を実現するために、本実施例の遊技機１が行っている制御内容について詳しく説明する。
【００５１】
Ｃ−１．遊技制御処理  ：
図９は、主制御基板２００に搭載されたＣＰＵ２０１が、遊技の進行を制御するために行う遊技制御処理の大まかな流れを示したフローチャートである。図示されているように、遊技制御処理では、賞球関連処理、普通図柄遊技処理、始動口復帰処理、特別図柄遊技処理、特別電動役物遊技処理などの各処理が繰り返し実行されている。一周の処理に要する時間は、ほぼ４ｍｓｅｃとなっており、従って、これら各種の処理は約４ｍｓｅｃ毎に繰り返し実行されることになる。そして、これら各処理中で、サブ制御基板２２０を初めとする各種制御基板に向けて、主制御基板２００から各種コマンドを送信する。こうすることにより、遊技機１全体の遊技が進行するとともに、サブ制御基板２２０では、遊技の進行に合わせた演出の制御が行われることになる。以下、フローチャートに従って、主制御基板２００に搭載されたＣＰＵ２０１が行う遊技制御処理について説明する。
【００５２】
主制御基板２００に搭載されたＣＰＵ２０１は、遊技制御処理を開始すると、遊技球を賞球として払い出すための処理（賞球関連処理）を行う（Ｓ５０）。かかる処理では、主制御基板２００に接続された各種スイッチの中で、遊技球の入賞に関わるスイッチ（始動口スイッチ１７ｓや大入賞口スイッチ３１ｓなど）について、遊技球が入球したか否かを検出する。そして、遊技球の入球が検出された場合には、払い出すべき賞球数を算出した後、払出制御基板２４０に向かって賞球数指定コマンドを出力する処理を行う。払出制御基板２４０は、主制御基板２００から出力された賞球数指定コマンドを受け取るとコマンドの内容を解釈し、その結果に従って、払出装置１０９に搭載された払出モータ１０９ｍに駆動信号を出力することにより、実際に賞球を払い出す処理を行う。
【００５３】
主制御基板２００のＣＰＵ２０１は、賞球に関連する処理を行うと（Ｓ５０）、今度は、普通図柄遊技処理を行うか否か、すなわち普通図柄の変動停止表示を行うか否かを判断する（Ｓ１００）。かかる判断は、始動口１７が開口中であるか否かを検出することによって行う。始動口１７が開口中でなければ普通図柄遊技処理を行うものと判断し（Ｓ１００：ｙｅｓ）、始動口１７が開口中であれば普通図柄遊技処理は行わないものと判断する（Ｓ１００：ｎｏ）。そして、普通図柄遊技処理を行うと判断された場合は（Ｓ１００：ｙｅｓ）、以下に説明する普通図柄遊技処理を行う（Ｓ１５０）。一方、普通図柄遊技処理を行わないと判断された場合は（Ｓ１００：ｎｏ）、普通図柄遊技処理（Ｓ１５０）はスキップする。
【００５４】
普通図柄遊技処理（Ｓ１５０）では、主に次のような処理を行う。先ず、普通図柄の保留数が存在するか否か（「０」であるか否か）を判定し、保留数が存在する場合には普通図柄の当否判定を行う。ここで、普通図柄の保留数は遊技球が普通図柄作動ゲート３６を通過することにより設定されるものであり、本実施例では、その保留数の上限値を「４」としている。そして、普通図柄の当否判定の結果に基づき、普通図柄を当り図柄または外れ図柄（図６（ａ）参照）の何れで停止表示させるかを決定する。次いで、普通図柄の変動表示時間を設定した後、普通図柄の変動表示を開始する。そして変動表示時間が経過すると、決定しておいた図柄で普通図柄を停止表示させ、このときに、普通図柄の当り図柄が停止表示された場合には、始動口１７に設けられた一対の翼片部を外側に向かって回動させて、始動口１７を開口状態とする。
【００５５】
以上のようにして普通図柄遊技処理を終了したら、始動口１７が開口中か否かを判断する（Ｓ１９０）。そして、開口中である場合は（Ｓ１９０：ｙｅｓ）、開口している始動口１７を通常の状態に復帰させるための処理（始動口復帰処理）を行う（Ｓ２００）。一方、始動口１７が開口中でない場合は（Ｓ１９０：ｎｏ）、始動口復帰処理を行う必要はないのでスキップする。
【００５６】
始動口復帰処理（Ｓ２００）では、次の何れかの条件が満足された場合、すなわち、始動口１７の開口時間が経過するか、若しくは、始動口１７に規定数の遊技球が入球したかの何れかの条件が成立した場合に、始動口１７を通常状態に復帰させる処理を行う。尚、始動口１７の開口時間は、通常の遊技状態では約０．５秒間に設定されているが、後述する開口時間延長機能が作動すると約５秒間（開口回数が１回の場合には１回の開口時間が約５秒間、あるいは開口回数が複数回の場合には複数回の開口時間の合計が約５秒間）に延長される。一方、始動口１７の開口時間が経過しておらず、始動口１７への入球数も規定数に達していない場合は、始動口１７を開口状態としたまま、始動口復帰処理（Ｓ２００）を終了する。
【００５７】
遊技制御処理では、始動口復帰処理から復帰すると、特別図柄に関連する処理を開始する。かかる処理では、後述する特別図柄遊技処理を行うための所定の条件を満足しているか否かを判断した後、所定の条件を満足していた場合には、特別図柄遊技処理を開始する。
【００５８】
図１０は、特別図柄遊技処理を開始するか否かを判断するために行う処理（特別図柄遊技開始判断処理）の流れを示すフローチャートである。特別図柄遊技処理を開始するか否かの判断に当たっては、先ず初めに、始動口１７に遊技球が入球したか否かを判断する（Ｓ３０２）。前述したように、始動口１７の内部には、遊技球の入球を検出する始動口スイッチ１７ｓが設けられており、遊技球が入球したことを検出することができる。
【００５９】
遊技球が始動口スイッチ１７ｓを通過している場合は（Ｓ３０２：ｙｅｓ）、特別図柄の保留数（特図保留数）が上限値（本実施例では「４」）に達しているか否かを判断する（Ｓ３０４）。そして、特図保留数が上限値に達していなければ（Ｓ３０４：ｎｏ）、特別図柄当否判定乱数、図柄決定乱数を取得して記憶する（Ｓ３０６）。ここで、特別図柄当否判定乱数は、特別図柄の当否判定を行うために用いられる乱数であり、図柄決定乱数は、特別図柄の当否判定結果に応じて停止表示させる特別図柄の種類を決定するための乱数である。次いで、特図保留数に「１」を加算する（Ｓ３０８）。一方、特別図柄の保留数が４に達している場合は（Ｓ３０４：ｎｏ）、特別図柄の当否判定用乱数や、図柄決定乱数を取得し、特図保留数に１を加算する処理は行わない。
【００６０】
以上のようにして特別図柄の保留に関わる処理を終了したら、大当り遊技中または小当り遊技中か否かを判断する（Ｓ３１０）。ここで大当り遊技とは、後述する特別遊技処理で特別図柄の変動表示が開始され、前述した「通常大当り図柄」、「確変大当り図柄」、または「２Ｒ確変大当り図柄」が停止表示されると行われる遊技である。大当り遊技は、大入賞口３１ｄを開口状態として行われるラウンド遊技を、複数回繰り返すことによって行われる。また、小当り遊技とは、後述する特別遊技処理で特別図柄の変動表示が開始され、前述した「小当り図柄」が停止表示されると行われる遊技である。小当り遊技では、「２Ｒ確変大当り図柄」が停止表示されたときの大当り遊技と同じ態様で大入賞口３１ｄを開口動作させるラウンド遊技が１回だけ行われる。現在、大当り遊技または小当り遊技を行っているのであれば、重ねて大当り遊技を開始する必要はない。そこで、特別図柄の保留に関わる処理を終了したら、大当り遊技中または小当り遊技中であるか否かを判断し（Ｓ３１０）、何れでもなかった場合には（Ｓ３１０：ｎｏ）、後述する特別図柄遊技処理を開始すると判断する（すなわち、Ｓ３００：ｙｅｓ）。一方、現在、既に大当り遊技中あるいは小当り遊技中であった場合は（Ｓ３１０：ｙｅｓ）、特別図柄遊技処理は開始しないと判断する（すなわち、Ｓ３００：ｎｏ）。
【００６１】
以上のようにして、特別図柄遊技処理を行うと判断された場合は（Ｓ３００：ｙｅｓ）、以下に説明する特別図柄遊技処理を行う（Ｓ３２０）。一方、特別図柄遊技処理を行わないと判断された場合は（Ｓ３００：ｎｏ）、特別図柄遊技処理（Ｓ３２０）はスキップする。
【００６２】
Ｃ−２．特別図柄遊技処理  ：
図１１および図１２は、特別図柄遊技処理の流れを示したフローチャートである。特別図柄遊技処理を開始すると、先ず初めに、特別図柄が変動中か否かを判断する（Ｓ３２２）。図３を用いて前述したように、本実施例の遊技機１では図柄表示装置２８に特別図柄表示部３０が設けられており、特別図柄を変動表示可能となっている。
【００６３】
特別図柄表示部３０の特別図柄が変動中でない場合は（Ｓ３２２：ｎｏ）、特別図柄の停止図柄を表示させる停止表示時間中であるか否かを判断する（Ｓ３２４）。すなわち、特別図柄の変動表示が終了してしばらくの期間は、特別図柄が何れの図柄で停止表示されたかを、遊技者が確認するための停止表示時間が設けられているので、この停止表示時間中か否かを判断するのである。特別図柄が変動表示されておらず且つ特別図柄の停止図柄を表示している停止表示時間も経過していることが確認された場合は（Ｓ３２４：ｎｏ）、特別図柄の保留数（特図保留数）が「０」であるか否かを判断する（Ｓ３２６）。前述したように特図保留数は、上限値「４」に達するまで記憶可能である。そして、特図保留数が「０」である場合には（Ｓ３２６：ｙｅｓ）、そのまま特別図柄遊技処理を終了して図９に示す遊技制御処理に復帰する。一方、特別図柄保留数が「０」でない場合、換言すれば、特別図柄の保留が残っている場合は（Ｓ３２６：ｎｏ）、特別図柄の当否判定を行う処理（特別図柄当否判定処理）を開始する（Ｓ３３０）。
【００６４】
図１３は、特別図柄の当否判定を行う処理の流れを示したフローチャートである。図示するように、特別図柄当否判定処理を開始すると、先ず初めに、特別図柄当否判定乱数を読み出す処理を行う（Ｓ３３００）。特別図柄当否判定乱数とは、図１０を用いて前述した特別図柄遊技開始判断処理の中で、遊技球が始動口１７に入球したと判断されると、特別図柄の保留数が４個に達するまで、４個を限度として取得される乱数である。図１３に示した特別図柄当否判定処理では、先ず初めに、予め記憶しておいた特別図柄当否判定乱数の中から、最も古くに記憶された特別図柄当否判定乱数を読み出す処理を行う。
【００６５】
次いで、現在の遊技状態が確変状態か否か、すなわち、確変フラグがセットされているか否かを判断し（Ｓ３３０２）、確変フラグがセットされていれば（Ｓ３３０２：ｙｅｓ）、確変用の当否判定テーブルを選択し（Ｓ３３０４）、確変フラグがセットされていなければ（Ｓ３３０２：ｎｏ）、非確変用の当否判定テーブルを選択する（Ｓ３３０６）。ここで確変フラグとは、遊技状態が確変状態になるとセットされるフラグであり、主制御基板２００に搭載されたＲＡＭ２０３の所定アドレスが、確変フラグとして割り当てられている。また、当否判定テーブルとは、特別図柄の当否判定乱数に対応付けて、特別図柄の当否判定結果が設定されているテーブルであり、主制御基板２００のＲＯＭ２０２に予め記憶されている。
【００６６】
図１４は、本実施例の遊技機１に記憶されている特別図柄の当否判定テーブルを例示した説明図である。図１４（ａ）には非確変用の当否判定テーブルが示されており、図１４（ｂ）には確変用の当否判定テーブルが示されている。図示するように、当否判定テーブルには、特別図柄の当否判定乱数に対応付けて、「大当り」あるいは「外れ」の特別図柄の当否判定結果が設定されている。また、図１４（ａ）と図１４（ｂ）とを比較すれば明らかなように、図１４（ｂ）に示した確変用の当否判定テーブルは、図１４（ａ）に示した非確変用の当否判定テーブルよりも多くの乱数に、「大当り」の当否判定結果が設定されている。
【００６７】
次いで、先に読み出した特別図柄当否判定乱数に基づいて、選択した当否判定テーブルを参照することにより、特別図柄の当否判定結果が「大当り」であるか否かを判断する（Ｓ３３０８）。上述したように、確変状態の時に参照する確変用の当否判定テーブルは、確変状態ではないときに参照する非確変用の当否判定テーブルに比べて、多くの特別図柄当否判定乱数に「大当り」の当否判定結果が設定されていることから、確変中は非確変中よりも高い確率で「大当り」の当否判定結果が発生することになる。Ｓ３３０８の処理は、いわゆる「大当り抽選」に該当する。
【００６８】
そして、特別図柄の当否判定結果が大当りと判断された場合（大当り抽選に当選した場合）には（Ｓ３３０８：ｙｅｓ）、予め記憶されている図柄決定乱数の中から、最も古くに記憶された図柄決定乱数を読み出した後（Ｓ３３１０）、特別図柄の大当り図柄を決定する処理を行う（Ｓ３３１２）。ここで、図柄決定乱数とは、始動口に遊技球が入球すると、図１０に示した特別図柄遊技開始判断処理の中で、特別図柄当否判定乱数とともに取得される乱数である。また、特別図柄の大当り図柄は、図柄決定乱数に基づいて、大当り図柄決定テーブルを参照することによって決定する。
【００６９】
図１５は、特別図柄の大当り図柄を決定するために参照される大当り図柄決定テーブルを例示した説明図である。図示されているように、大当り図柄決定テーブルには、図柄決定乱数に対応付けて、特別図柄の大当り図柄が予め設定されている。図７を用いて前述したように、本実施例の遊技機１では、６種類の大当り図柄が設定されていることから、当り図柄決定テーブルにも、これら６種類の当り図柄が設定されている。特別図柄の当否判定結果が「大当り」であった場合には、始動口１７への遊技球の入球時に取得しておいた図柄決定乱数に基づいて、図１５の大当り図柄決定テーブルを参照することにより、特別図柄を何れの大当り図柄で停止表示させるかを決定する処理を行う。
【００７０】
一方、特別図柄の当否判定結果が「外れ」であった場合は（図１３のＳ３３０８：ｎｏ）、小当り抽選を行う（Ｓ３３１４）。この小当り抽選は、特別図柄の当否判定結果が「外れ」の場合（大当り抽選に当選しなかった場合）にのみ行うもので、特別図柄の当否判定乱数とは別の小当り抽選用の乱数（小当り乱数）を用いて行う。具体的には、小当り乱数を取得した後、小当り判定テーブル（図示せず）を参照して「小当り」に当選したか否かを判定する。そして、「小当り」に当選した場合には（Ｓ３３１５：ｙｅｓ）、特別図柄の小当り図柄（図７参照）を決定する処理を行い（Ｓ３３１６）、「小当り」に当選しなかった場合には（Ｓ３３１５：ｎｏ）、特別図柄の外れ図柄（図７参照）を決定する処理を行う（Ｓ３３１７）。つまり、「大当り抽選」および「小当り抽選」の何れにも当選しなかった場合に、「外れ」となる。小当り図柄を決定する処理は、図柄決定乱数に対して小当り図柄が予め設定された小当り図柄決定テーブルを参照することによって行い、外れ図柄を決定する処理は、図柄決定乱数に対して外れ図柄が予め設定された外れ図柄決定テーブルを参照することによって行う。
【００７１】
以上に説明したように、図１３に示した特別図柄当否判定処理では、先に取得しておいた特別図柄当否判定乱数および図柄決定乱数を読み出して、特別図柄の当否判定（大当り抽選）を行うとともに、当否判定結果が大当りの場合には特別図柄の大当り図柄を決定する処理を行い、当否判定結果が外れの場合には、小当り抽選を経て小当り図柄あるいは外れ図柄を決定する処理を行う（Ｓ３３０８〜Ｓ３３１７）。そして、大当り図柄、小当り図柄あるいは外れ図柄のいずれかを決定したら、特別図柄当否判定処理を終了して、図１１の特別図柄遊技処理に復帰する。尚、特別図柄当否判定処理で、特別図柄の当否判定結果が大当りとなった場合または小当り抽選に当選して小当りとなった場合（「大当り」または「小当り」の何れかの「当り」に当選した場合）には、大入賞口３１ｄを開口させて当り遊技（大当り遊技または小当り遊技）が行われる。従って、特別図柄当否判定処理（大当り抽選または小当り抽選）を実行する主制御基板２００のＣＰＵ２０１は、本発明における「抽選手段」に対応するものとなっている。
【００７２】
図１１に示されているように、特別図柄遊技処理では、特別図柄当否判定処理（Ｓ３３０）から復帰すると、続いて、特別図柄の変動パターンを決定する処理を開始する（Ｓ３３２）。ここで、特別図柄の変動パターンとは、特別図柄を変動表示させる態様のことである。尚、特別図柄を変動表示させるとはいっても、図７に示した１０種類の表示態様を次々と切り換えながら表示するだけなので、特別図柄の変動パターンは、実質的には、特別図柄を変動表示させる時間に対応している。もっとも、前述したように本実施例の遊技機１では、図柄表示装置２８で行われる特別図柄の変動表示と、演出表示装置２７で行われる意匠図柄２７ａ，２７ｂ，２７ｃの変動表示とは互いに連動していることから、特別図柄の変動パターンを決定すると、意匠図柄２７ａ，２７ｂ，２７ｃが変動表示される時間が決定される。そして、その変動表示の時間の範囲内で、具体的な変動表示の内容が、サブ制御基板２２０によって決定されることになる。この点については、後ほど詳しく説明する。
【００７３】
特別図柄の変動パターンを決定すると、図柄表示装置２８における特別図柄の変動表示を開始する（Ｓ３４０）。前述したように、本実施例の図柄表示装置２８は、図７に示した１０種類の特別図柄を表示可能であり、これら図柄の表示を次々と切り換えることによって変動表示を行う。また、特別図柄の変動表示が開始されると、特別図柄保留数から「１」を減算した後（Ｓ３４２）、先に決定しておいた特別図柄の変動パターンを指定するコマンド（特別図柄変動パターン指定コマンド）を、サブ制御基板２２０に向かって出力する（Ｓ３４４）。更に、特別図柄の停止図柄を指定するコマンド（特別図柄停止情報指定コマンド）を、同じくサブ制御基板２２０に向かって出力する（Ｓ３４６）。
【００７４】
サブ制御基板２２０のＣＰＵ２２１は、このようにして特別図柄変動パターン指定コマンドおよび特別図柄停止情報指定コマンドを受け取ることにより、図柄表示装置２８で変動表示される特別図柄の変動時間、および特別図柄の停止図柄についての情報を知ることができる。そこで、これらの情報に応じて、演出表示装置２７で行われる演出態様（意匠図柄２７ａ，２７ｂ，２７ｃの変動表示態様）を決定して、決定した演出態様を指示する制御コマンドを演出制御基板２３０へ向けて出力する。こうすることにより、図柄表示装置２８で行われる特別図柄の変動表示および停止表示に合わせて、演出表示装置２７においても、意匠図柄２７ａ，２７ｂ，２７ｃを用いた各種の演出表示が行われる。
【００７５】
主制御基板２００のＣＰＵ２０１は、以上のようにして、特別図柄の変動パターンと停止図柄とを決定し、変動パターン指定コマンド、特別図柄停止情報指定コマンドをサブ制御基板２２０に向けて出力したら、図１１に示した特別図柄遊技処理を終了して、図９に示す遊技制御処理に復帰する。
【００７６】
以上、特別図柄が変動表示していない場合（すなわち、図１１のＳ３２２：ｎｏの場合）に、特別図柄遊技処理で行われる詳細な処理について説明した。一方、特別図柄が変動中に、図１１の特別図柄遊技処理が開始された場合は、最初に行うＳ３２２の判断で、特別図柄が変動中であると判断される（Ｓ３２２：ｙｅｓ）。この場合は、既に、特別図柄の変動パターンと停止図柄とが決定されて、特別図柄の変動が開始されている場合に該当する。そこで、特別図柄変動時間が経過したか否かを判断する（Ｓ３４８）。すなわち、特別図柄の変動時間は変動パターンに応じて予め定められているので、特別図柄の変動を開始すると同時にタイマをセットすることにより、所定の変動時間が経過したかを判断するのである。そして、未だ変動時間が経過していない場合は（Ｓ３４８：ｎｏ）、そのまま特別図柄遊技処理を終了して、図９に示す遊技制御処理に復帰する。
【００７７】
これに対して、変動時間が経過したと判断された場合は（Ｓ３４８：ｙｅｓ）、特別図柄を停止表示させることを示すコマンド（図柄停止コマンド）をサブ制御基板２２０に向かって出力する（Ｓ３５０）とともに、図柄表示装置２８で変動表示されている特別図柄を、予め設定しておいた図柄で停止表示させる（Ｓ３５２）。次いで、特別図柄を停止表示させる時間（停止表示時間）を設定した後（Ｓ３５４）、設定した表示時間が経過したか否かを判断する（Ｓ３５６）。そして、表示時間が経過していなければ（Ｓ３５６：ｎｏ）、そのまま特別図柄遊技処理を終了して図９に示す遊技制御処理に復帰する。
【００７８】
一方、特別図柄の停止表示時間が経過した場合は（Ｓ３５６：ｙｅｓ）、停止表示された特別図柄が、図７に示した何れかの大当り図柄であるか否かを判断する（図１２のＳ３５８）。そして、停止表示された図柄が、大当り図柄であった場合は（Ｓ３５８：ｙｅｓ）、大当りフラグをＯＮにする（Ｓ３６０）。前述したように大当りフラグとは、大当り遊技を開始することを示すフラグであり、大当りフラグに割り当てられている所定アドレスの値を「１」に設定することによって、大当りフラグがＯＮとなる。
【００７９】
続いて、大入賞口３１ｄの開口時間と、大当り遊技中に行われるラウンド遊技の回数（ラウンド回数）とを設定する（Ｓ３６１）。大入賞口３１ｄの開口時間とラウンド回数とは、大当り図柄によって予め定められている。すなわち、停止表示された特別図柄が、図７に示した「通常大当り図柄」または「確変大当り図柄」であった場合には、大入賞口３１ｄの開口時間は約２５秒、ラウンド回数は１５回に設定される。これに対して、停止表示された特別図柄が「２Ｒ確変大当り図柄」であった場合には、大入賞口３１ｄの開口時間は約０．２秒、ラウンド回数は２回に設定される。
【００８０】
こうして大当り遊技の態様、すなわち、大入賞口３１ｄの開口時間およびラウンド回数を設定したら、次に、大当り図柄が「２Ｒ確変大当り図柄」であったか否かを判断する（Ｓ３６２）。そして、２Ｒ確変大当り図柄であった場合は（Ｓ３６２：ｙｅｓ）、２Ｒ確変大当り遊技を開始することを示すコマンド（２Ｒ確変大当り開始コマンド）を、サブ制御基板２２０に向かって出力する（Ｓ３６３）。これに対して、２Ｒ確変大当り図柄ではなかった場合は（Ｓ３６２：ｎｏ）、ラウンド回数が１５回の大当り遊技を開始することを示すコマンド（大当り開始コマンド）を、サブ制御基板２２０に向かって出力する（Ｓ３６４）。これらの開始コマンドを受け取って、サブ制御基板２２０がコマンドに応じた演出を行うことにより、大当り遊技に伴う演出が行われることになる。この点については後ほど詳しく説明する。
【００８１】
以上に説明したように、特別図柄の停止図柄が大当り図柄（通常大当り図柄、確変大当り図柄、２Ｒ確変大当り図柄）であった場合には（Ｓ３５８：ｙｅｓ）、大当り開始コマンドまたは２Ｒ確変大当り開始コマンドの何れかをサブ制御基板２２０に向かって出力した後（Ｓ３６３，Ｓ３６４）、確変フラグがセットされているか否かを判断する（Ｓ３７０）。そして、確変フラグがセットされている場合は（Ｓ３７０：ｙｅｓ）、現在の遊技状態が確変状態であって確変機能および時短機能が作動している。そこで、確変フラグをＯＦＦに（すなわち、確変フラグの値を「１」から「０」に変更）して確変機能の作動を停止させるとともに（Ｓ３７２）、時短フラグもＯＦＦに（すなわち、時短フラグの値を「１」から「０」に変更）することによって時短機能の作動も停止させる（Ｓ３７４）。ここで、時短フラグとは、遊技状態が時短中である場合にセットされるフラグであり、主制御基板２００に搭載されたＲＡＭ２０３の所定アドレスが、時短フラグとして割り当てられている。
【００８２】
一方、確変フラグがセットされていなかった場合は（Ｓ３７０：ｎｏ）、時短フラグがセットされているか否かを判断し（Ｓ３７８）、時短フラグがセットされていた場合は（Ｓ３７８：ｙｅｓ）、時短機能を停止させるべく時短フラグをＯＦＦにする（Ｓ３７４）。また、本実施例の遊技機１では、時短機能が作動している場合は、始動口１７の開口時間を延長する機能（開口延長機能）も作動している。そこで、時短フラグをクリアして時短機能を停止したら（Ｓ３７４）、開口延長機能も停止させるべく、開口延長フラグをＯＦＦにした後（Ｓ３７６）、図１１および図１２に示した特別図柄遊技処理を抜けて、図９の遊技制御処理に復帰する。一方、大当り図柄が停止表示したときに、確変フラグも時短フラグも何れもセットされていなかった場合は（Ｓ３７０：ｎｏ、Ｓ３７８：ｎｏ）、そのまま特別図柄遊技処理を抜けて、遊技制御処理に復帰する。
【００８３】
以上、図柄表示装置２８で停止表示された特別図柄が大当り図柄であった場合（Ｓ３５８：ｙｅｓ）の処理について説明したが、大当り図柄でなかった場合は（Ｓ３５８：ｎｏ）、次のような処理を行う。
【００８４】
先ず、停止表示された特別図柄が小当り図柄か否かを判断する（Ｓ３６５）。小当り図柄とは、図７の下から２段目に示した何れかの図柄である。そして、停止表示された図柄が小当り図柄であった場合は（Ｓ３６５：ｙｅｓ）、小当りフラグをＯＮにする（Ｓ３６６）。ここで、小当りフラグとは、小当り遊技を開始することを示すフラグであり、前述した大当りフラグと同様に、主制御基板２００に搭載されたＲＡＭ２０３の所定アドレスが、小当りフラグを設定するデータ領域として割り当てられている。そして、その所定アドレスの値を「１」に設定することによって、小当りフラグがＯＮとなる。
【００８５】
続いて、大入賞口３１ｄの開口態様を、小当り遊技用の態様に設定する（Ｓ３６７）。前述したように小当り遊技では、大入賞口３１ｄを開口させてラウンド遊技が１回だけ行われるが、大入賞口３１ｄを開口させる態様は、小当り遊技用の態様とすることができる。そこで、小当りフラグをＯＮに設定したら（Ｓ３６６）、続いて、小当り用の開口態様を設定するのである（Ｓ３６７）。本実施例では、小当り遊技用の開口態様は、大入賞口３１ｄを極短時間（約０．２秒）だけ開口状態とした後、直ぐに閉鎖し、再び極短時間（約０．２秒）だけ開口状態とする態様に設定されている。すなわち、１回のラウンド遊技中に大入賞口３１ｄを２回開口させる態様となっているが、この開口態様は、前述した２Ｒ確変大当り遊技中で、短時間で２回のラウンド遊技を行う際の大入賞口３１ｄの動きと、良く似た態様（実質的に同一の態様）となっている。こうして小当り遊技用の開口態様を設定したら、小当り遊技を開始することを示すコマンド（小当り開始コマンド）を、サブ制御基板２２０に向かって出力する（Ｓ３６８）。一方、停止表示された特別図柄が小当り図柄ではなかった場合は（Ｓ３６５：ｎｏ）、小当り遊技を行うための上述した一連の処理（Ｓ３６６〜Ｓ３６８）は不要であるためスキップする。
【００８６】
尚、特別図柄の停止図柄が大当り図柄であった場合に設定される大入賞口３１ｄの開口時間やラウンド回数などの開口態様は、主制御基板２００に搭載されたＲＯＭ２０２の中に予め記憶されている。また、停止図柄が小当り図柄であった場合に設定される小当り遊技用の開口態様も、主制御基板２００のＲＯＭ２０２に予め記憶されている。従って、本実施例の主制御基板２００に搭載されたＲＯＭ２０２は、本発明における「開口態様記憶手段」に対応するものとなっている。また、停止図柄が「通常大当り図柄」あるいは「確変大当り図柄」であった場合には同じ開口態様が設定され、「２Ｒ確変大当り図柄」または「小当り図柄」に対しては良く似た開口態様が設定される。そして、「２Ｒ確変大当り図柄」または「小当り図柄」に対して設定される開口態様は、「通常大当り図柄」または「確変大当り図柄」に対して設定される開口態様よりも、大入賞口３１ｄに遊技球が入球し難い開口態様となっている。従って、「通常大当り図柄」または「確変大当り図柄」の停止図柄に対して設定される開口態様が、本発明における「標準の開口態様」に対応しており、「２Ｒ確変大当り図柄」または「小当り図柄」の停止図柄に対して設定される開口態様が、本発明における「特定開口態様」に対応している。
【００８７】
次に、現在の遊技状態が確変中か否か、すなわち、確変フラグがＯＮにセットされているか否かを判断する（Ｓ３８０）。本実施例の遊技機１では、「確変大当り図柄」または「２Ｒ確変大当り図柄」で大当り遊技が開始されると、大当り遊技の終了後に確変状態が開始され、次の大当り遊技状態が発生するまでは継続する設定となっている。そこで、確変フラグがＯＮになっていた場合は（Ｓ３８０：ｙｅｓ）、図１１および図１２に示した特別図柄遊技処理を抜けて、図９の遊技制御処理に復帰する。一方、確変フラグがＯＮではなかった場合は（Ｓ３８０：ｎｏ）、今度は、時短フラグがセットされているか否かを判断する（Ｓ３８２）。そして、時短フラグがセットされていた場合は（Ｓ３８２：ｙｅｓ）、時短中の特別図柄の変動回数を計数した後（Ｓ３８４）、変動回数が所定回数に達したか否かを判断する（Ｓ３８６）。本実施例の遊技機１では、「通常大当り図柄」で大当り遊技が開始されると、大当り遊技の終了後に時短状態が開始され、次の大当り遊技状態が発生するか、もしくは特別図柄が所定回数変動するまでは継続する設定となっている。そこで、現在の遊技状態が時短中（すなわち、時短フラグがセットされている）と判断された場合は（Ｓ３８２：ｙｅｓ）、特別図柄の変動回数を計数した後（Ｓ３８４）、変動回数の計数値が所定回数に達したか否かを判断するのである（Ｓ３８６）。そして、所定回数に達していれば（Ｓ３８６：ｙｅｓ）、時短機能を停止させるべく時短フラグをクリアし（Ｓ３７４）、続いて、普通電動役物の開口延長機能も停止させるべく開口延長フラグもクリアした後（Ｓ３７６）、図１１および図１２に示した特別図柄遊技処理を抜けて、図９の遊技制御処理に復帰する。一方、特別図柄の変動回数が、未だ所定回数に達していなければ（Ｓ３８６：ｎｏ）、時短状態を維持したまま（時短フラグおよび開口延長フラグがＯＮのまま）、特別図柄遊技処理を抜けて、図９の遊技制御処理に復帰する。
【００８８】
図９に示すように、遊技制御処理では、特別図柄遊技処理から復帰すると、大当りフラグまたは小当りフラグがセットされているか否かを判断する（Ｓ３９０）。前述したように特別図柄遊技処理で、通常大当り図柄、確変大当り図柄、２Ｒ確変大当り図柄の何れかの大当り図柄が停止表示されると、大当り遊技を開始するべく、大当りフラグがＯＮに設定される。また、小当り図柄が停止表示された場合には、小当り遊技を開始するべく、小当りフラグがＯＮに設定される。そこで、特別図柄遊技を終了した後は、大当りフラグまたは小当りフラグがＯＮに設定されているか否かを判断するのである（Ｓ３９０）。そして、大当りフラグまたは小当りフラグの何れかがＯＮになっている場合は（Ｓ３９０：ｙｅｓ）、以下に説明する特別電動役物遊技処理を開始する（Ｓ４００）。一方、大当りフラグも小当りフラグもＯＮになっていなければ（Ｓ３９０：ｎｏ）、特別電動役物遊技処理（Ｓ４００）はスキップして、遊技制御処理の先頭に戻り、前述した賞球関連処理（Ｓ５０）以降の一連の処理を繰り返す。
【００８９】
Ｃ−３．特別電動役物遊技処理  ：
図１６は、特別電動役物遊技処理の前半部分の流れを示すフローチャートである。また、図１７は、特別電動役物遊技処理の後半部分の流れを示すフローチャートである。このような特別電動役物遊技処理が実行されることによって、大当り遊技、あるいは小当り遊技が行われる。以下、図１６および図１７を参照しながら特別電動役物遊技処理について説明する。尚、大当り遊技あるいは小当り遊技（すなわち、当り遊技）は、主制御基板２００に搭載されたＣＰＵ２０１が、以下に説明する特別電動役物遊技処理を実行することによって行われている。従って、本実施例の主制御基板２００に搭載されたＣＰＵ２０１は、本発明における「当り遊技実行手段」に対応している。
【００９０】
主制御基板２００のＣＰＵ２０１は、特別電動役物遊技処理（Ｓ４００）を開始すると先ず初めに、小当りフラグがＯＮに設定されているか否かを判断する（Ｓ４０２）。そして、小当りフラグがＯＮに設定されていた場合は（Ｓ４０２：ｙｅｓ）、予め設定しておいた小当り遊技の態様で大入賞口３１ｄを開口させて、小当り遊技を行う（Ｓ４０４）。前述したように小当り遊技は、大入賞口３１ｄを約０．２秒開口させる動作が２回実行されるラウンド遊技を１回だけ行う当り遊技であり、直ぐに終了する。そこで、小当りフラグをＯＦＦにする（Ｓ４０６）。小当りフラグには主制御基板２００のＲＡＭ２０３の所定アドレスが割り当てられており、このアドレスの値に「０」を設定することによって、小当りフラグをＯＦＦにすることができる。続いて、小当り遊技を終了することを示すコマンド（小当り終了コマンド）をサブ制御基板２２０に向かって出力した後（図１７のＳ４３４）、特別電動役物遊技処理を終了して、図９の遊技制御処理に復帰する。
【００９１】
これに対して、小当りフラグがＯＮではないと判断された場合は（Ｓ４０２：ｎｏ）、大当りフラグがＯＮに設定されていることになる。そこで、大入賞口３１ｄが開口中か否かを判断する（Ｓ４０８）。大入賞口３１ｄは、通常の遊技状態では閉鎖されており、従って特別遊技の開始直後は、大入賞口３１ｄは閉鎖状態となっている。そこで、大入賞口３１ｄは開口中ではないと判断して（Ｓ４０８：ｎｏ）、大入賞口３１ｄの開口回数（すなわち、ラウンド回数）が所定回数に達したか否かを判断する（Ｓ４１０）。
【００９２】
当然のことながら、特別遊技が開始された直後は、大入賞口３１ｄの開口回数は所定回数に達していないから（Ｓ４１０：ｎｏ）、大入賞口３１ｄの閉鎖時間が経過したか否かを判断する（Ｓ４１２）。大入賞口３１ｄの閉鎖時間とは、ラウンドとラウンドとの間で大入賞口３１ｄが閉鎖状態となっている時間である。特別遊技が開始された直後は、大入賞口３１ｄは閉鎖状態となっているから、当然、大入賞口３１ｄの閉鎖時間が経過していると判断され（Ｓ４１２：ｙｅｓ）、大入賞口３１ｄを開口させた後（Ｓ４１４）、図１６に示した特別電動役物遊技処理を一旦終了して、図９の遊技制御処理に復帰する。
【００９３】
主制御基板２００のＣＰＵ２０１は遊技制御処理に復帰すると、図９に示したように、賞球関連処理（Ｓ５０）以降の一連の各種処理を行った後、再び特別電動役物遊技処理（Ｓ４００）を開始する。そして、この場合は、既に大入賞口３１ｄが開口しているので、Ｓ４０８にて、大入賞口３１ｄが開口中（Ｓ４０８：ｙｅｓ）と判断されることになる。
【００９４】
次いで、大入賞口３１ｄの開口時間が所定時間に達したか否かを判断する（Ｓ４１６）。前述したように、特別遊技では、大入賞口３１ｄが開口状態となるが、開口時間が所定時間に達するか、または大入賞口３１ｄに所定数の遊技球が入球すると閉鎖される。このことに対応して、Ｓ４１６では大入賞口３１ｄの開口時間が所定時間に達したか否かを判断する。そして、開口時間が所定時間に達していれば（Ｓ４１６：ｙｅｓ）、大入賞口３１ｄを閉鎖した後（Ｓ４２０）、図１６に示した特別電動役物遊技処理を抜けて、図９の遊技制御処理に復帰する。一方、開口時間が所定時間に達していない場合は（Ｓ４１６：ｎｏ）、大入賞口３１ｄに入球した遊技球が規定数に達しているか否かを判断する（Ｓ４１８）。そして、遊技球が規定数に達した場合は（Ｓ４１８：ｙｅｓ）、大入賞口３１ｄを閉鎖する（Ｓ４２０）。これに対して、規定数に達していない場合は（Ｓ４１８：ｎｏ）、大入賞口３１ｄの開口時間が未だ所定時間に達しておらず、しかも大入賞口３１ｄに入球した遊技球も規定数に達していないことになるので、大入賞口３１ｄを開口させたまま、図１６に示した特別電動役物遊技処理を抜けて、図９の遊技制御処理に復帰する。
【００９５】
図９の遊技制御処理を何回も繰り返し実行しているうちに、大入賞口３１ｄの開口時間が所定時間に達するか（Ｓ４１６：ｙｅｓ）、もしくは大入賞口３１ｄに規定数数の遊技球が入球して（Ｓ４１８：ｙｅｓ）、大入賞口３１ｄが閉鎖される（Ｓ４２０）。こうして、１回のラウンド遊技が終了する。そして、次に特別電動役物遊技処理が実行された時には、Ｓ４０８において大入賞口３１ｄが閉鎖中と判断され（Ｓ４０８：ｎｏ）、所定回数のラウンドが終了したか否かが判断され（Ｓ４１０）、全てのラウンドが終了していなければ（Ｓ４１０：ｎｏ）、大入賞口の閉鎖時間が所定時間に達したことを確認した後（Ｓ４１２：ｙｅｓ）、再び大入賞口３１ｄを開口状態として新たなラウンドを開始する（Ｓ４１４）。一方、Ｓ４１０において、所定回数のラウンドが終了したと判断された場合は（Ｓ４１０：ｙｅｓ）、大当り遊技を終了させるべく、大当りフラグの値を「１」から「０」に変更することによって、大当りフラグをＯＦＦにする（Ｓ４２２）。
【００９６】
以上のようにして大当りフラグをＯＦＦにしたら、その大当り遊技を発生させることとなった当り図柄が、確変大当り図柄または２Ｒ確変大当り図柄であったか否かを判断する（図１７のＳ４２４）。そして、確変大当り図柄または２Ｒ確変大当り図柄であった場合は（Ｓ４２４：ｙｅｓ）、確変フラグをＯＮに設定した後（Ｓ４２６）、時短機能および普通電動役物の開口延長機能を作動させるべく、時短フラグおよび開口延長フラグをＯＮに設定した後（Ｓ４２８、Ｓ４３０）、大当り遊技が終了したことを示すコマンド（大当り終了コマンド）をサブ制御基板２２０に出力して（Ｓ４３２）、図１６および図１７に示す特別電動役物遊技処理を終了する。一方、大当り遊技を発生させることとなった当り図柄が、確変大当り図柄または２Ｒ確変大当り図柄ではなかった場合は（Ｓ４２４：ｎｏ）、確変フラグはＯＦＦのままで、時短機能および開口延長機能を作動させるべく、時短フラグおよび開口延長フラグをＯＮに設定し（Ｓ４２８、Ｓ４３０）、大当り終了コマンドをサブ制御基板２２０に出力した後（Ｓ４３２）、図１６に示す特別電動役物遊技処理を終了して、図９の遊技制御処理に復帰する。
【００９７】
尚、Ｓ４２６で確変フラグがＯＮに設定されると、図１３に示した特別図柄当否判定処理では、確変用の当否判定テーブルを参照して当否判定が行われ、その結果、高い確率で「大当り」が発生する状態となる。確変フラグをＯＮにする処理は、主制御基板２００のＣＰＵ２０１が、特別電動役物遊技処理を実行する中で行われることから、本実施例における主制御基板２００のＣＰＵ２０１は、本発明における「確率変動手段」に対応している。
【００９８】
主制御基板２００に搭載されたＣＰＵ２０１は、以上のような遊技制御処理を繰り返して行うことにより、遊技機１の遊技を進行させている。そして、特別図柄で通常大当り図柄または確変大当り図柄が停止表示された場合には、１５回のラウンド遊技が行われる大当り遊技が開始される。この大当り遊技では、遊技球を発射すると高い確率で大入賞口３１ｄに入球させることができるので、遊技者は大いに遊技を楽しむことができる。これに対して、２Ｒ確変大当り図柄または小当り図柄が停止表示された場合には、大入賞口３１ｄが極短い時間だけしか開口しないので、遊技球を発射しても、大入賞口３１ｄに入球させることは困難である。そこで、熟練した遊技者は、２Ｒ確変大当り図柄による大当り遊技、または小当り図柄による小当り遊技が開始されると、終了するまで遊技球の発射を中止して、いわゆる止め打ちを行うことがある。しかし、これでは、本来は公平であるべき遊技が、熟達した遊技者と一般の遊技者との間では不公平になってしまう。更に、止め打ちされると、遊技球の発射球数が減少するので、遊技ホールにとっても、遊技機の稼働率が低下してしまう。そこで、止め打ちが行われることを回避するために、本実施例の遊技機１では、次のような演出を行っている。以下では、サブ制御基板２２０のＣＰＵ２２１が演出を行うために実行する処理について詳しく説明する。
【００９９】
Ｄ．当り遊技演出処理  ：
図１８は、大当り遊技また小当り遊技の演出を行うために実行される当り遊技演出処理の流れを示すフローチャートである。かかる処理は、サブ制御基板２２０に搭載されたＣＰＵ２２１によって実行される処理である。
【０１００】
図示されるように、当り遊技演出処理では、当り遊技の開始コマンド（すなわち、大当り開始コマンド、２Ｒ確変大当り開始コマンド、または小当り開始コマンド）を受け取ったか否かを判断する（Ｓ５０２）。そして、何れの開始コマンドも受け取っていない場合は（Ｓ５０２：ｎｏ）、当り遊技の演出を行う必要はないので、そのまま待機状態となる。
【０１０１】
これに対して、何れかの開始コマンドを受け取った場合は（Ｓ５０２：ｙｅｓ）、そのコマンドが、大当り開始コマンドか否かを判断する（Ｓ５０４）。前述したように、大当り開始コマンドとは、特別図柄が通常大当り図柄または確変大当り図柄で停止表示されて、大当り遊技が開始される際に出力されるコマンドである（図１２のＳ３６４参照）。判断の結果、大当り開始コマンドであると判断された場合は（Ｓ５０４：ｙｅｓ）、大当り遊技に伴って行われる各種の演出を実行する（Ｓ５０６）。ここで、大当り遊技に伴う演出とは、例えば、大当り遊技の開始時に行われるファンファーレ演出や、ラウンド遊技中に行われる演出、ラウンド遊技間に行われる演出である。これらの演出内容は、サブ制御基板２２０に搭載されたＲＯＭ２２２に予め記憶されている。サブ制御基板２２０のＣＰＵ２２１は、ＲＯＭ２２２に記憶されている演出内容を読み出して、演出制御基板２３０に対して制御コマンドを出力するとともに、アンプ基板２２４や装飾駆動基板２２６を介して各種のスピーカ５ｙ，６ｃや、各種ランプ類４ｂ〜４ｆに駆動信号を出力することによって、大当り遊技の演出を実行する。そして、大当り遊技の終了を示すコマンド（大当り終了コマンド）を受け取ったか否かを判断し、大当り終了コマンドを受け取ったら（Ｓ５０８：ｙｅｓ）、計数フラグをＯＦＦに設定した後（Ｓ５１０）、図１８に示す当り遊技演出処理を終了する。尚、計数フラグの意味するところについては、後述する。
【０１０２】
以上は、当り遊技の開始コマンドが、大当り開始コマンドであった場合に（Ｓ５０４：ｙｅｓ）、大当り遊技の演出を行う処理について説明した。これに対して、受け取った当り遊技の開始コマンドが、大当り開始コマンドではなかった場合（２Ｒ確変大当り開始コマンドまたは小当り開始コマンドであった場合）は（Ｓ５０４：ｎｏ）、次のような処理を行う。先ず、計数フラグをＯＮに設定する（Ｓ５１２）。そして、特別通過ゲート３７を通過した遊技球の計数を開始する（Ｓ５１４）。すなわち、計数フラグとは、中央装置２６の右側に設けられた特別通過ゲート３７（図２参照）を通過する遊技球を計数することを示すフラグである。計数フラグは、サブ制御基板２２０に設けられたＲＡＭ２２３の所定アドレスが割り当てられており、この所定アドレスの値に「１」が設定されると、計数フラグがＯＮになる。
【０１０３】
また、計数フラグがＯＮに設定されるのは、当り遊技の開始コマンドが大当り開始コマンドではないと判断された場合であるから（Ｓ５０４：ｎｏ）、２Ｒ確変大当り開始コマンドまたは小当り開始コマンドの何れかを受け取った場合ということになる。そこで、受け取った開始コマンドが２Ｒ確変大当り開始コマンドであった場合には２Ｒ確変大当り用の演出、または小当り開始コマンドであった場合には、小当り用の演出を実行する。すなわち、当り遊技の開始コマンドを受け取ったら、ファンファーレ演出や、ラウンド遊技中に行われる演出など、当り遊技に伴って行われる一連の演出を実行する。
【０１０４】
尚、２Ｒ確変大当り遊技や小当り遊技は、大入賞口３１ｄの開口態様は良く似た態様に設定されており、このことと対応して、ファンファーレ演出やラウンド遊技中に行われる演出なども、２Ｒ確変大当り遊技と小当り遊技とは、ほとんど同じ演出となっている。また、２Ｒ確変大当り遊技および小当り遊技では、大入賞口３１ｄには、ほとんど遊技球が入球することはないので、ファンファーレ演出やラウンド遊技中の演出は、当り遊技を意識させない演出となっている。また、これら演出の内容は、サブ制御基板２２０に搭載されたＲＯＭ２２２に予め記憶されている。
【０１０５】
そして、２Ｒ確変大当り遊技または小当り遊技に伴う演出の実行中に、２Ｒ確変大当り遊技の終了を示すコマンド（大当り終了コマンド）、または小当り遊技の終了を示すコマンド（小当り終了コマンド）を受け取ったか否かを判断し（Ｓ５１８）、これら終了コマンドを受け取ったら（Ｓ５１８：ｙｅｓ）、特別通過ゲート３７を通過した遊技球数の計数値を、サブ制御基板２２０に搭載されたＲＡＭ２２３の所定アドレスに記憶した後（Ｓ５２０）、図１８に示す当り遊技演出処理を終了する。
【０１０６】
以上に説明したように、当り遊技演出処理では、主制御基板２００から大当り開始コマンドを受け取った場合には（Ｓ５０４：ｙｅｓ）、大当り遊技に対応する演出が行われ、２Ｒ確変大当り開始コマンドまたは小当り開始コマンドを受け取った場合には（Ｓ５０４：ｎｏ）、２Ｒ確変大当り遊技または小当り遊技に対応する演出が行われるとともに、特別通過ゲート３７を通過する遊技球が計数されて、その計数値が記憶される。そして、２Ｒ確変大当り遊技または小当り遊技の終了後は、この計数値に応じた演出が行われる。そのため、２Ｒ確変大当り遊技または小当り遊技中に止め打ちが行われることを回避することが可能となっている。
【０１０７】
尚、２Ｒ確変大当り遊技中あるは小当り遊技中に、特別通過ゲート３７を通過する遊技球を計数する処理は、サブ制御基板２２０に搭載されたＣＰＵ２２１が、図１８に示した当り遊技演出処理を実行する中で行われている。従って、本実施例のサブ制御基板２２０に搭載されたＣＰＵ２２１は、本発明における「遊技球検出手段」に対応している。
【０１０８】
Ｅ．図柄変動演出処理  ：
前述した当り遊技演出処理は、主制御基板２００から当り遊技の開始コマンド（大当り開始コマンド、２Ｒ確変大当り開始コマンド、または小当り開始コマンド）を受け取ると、サブ制御基板２２０のＣＰＵ２２１によって実行される処理である。この当り遊技の開始コマンドは、主制御基板２００のＣＰＵ２０１が特別図柄遊技処理（図９のＳ３２０）を実行することによって出力され、その後、特別電動役物遊技処理（図９のＳ４００）を実行することによって、大当り遊技、２Ｒ確変大当り遊技、小当り遊技の何れかの当り遊技が行われる。そして、特別電動役物遊技処理の終了後は、図９に示したように、賞球関連処理（Ｓ５０）、普通図柄遊技処理（Ｓ１５０）、始動口復帰処理（Ｓ２００）、特別図柄遊技処理（Ｓ３２０）が行われる。その結果、始動口１７に遊技球が入球すると、特別図柄遊技処理の中で特別図柄の当否判定処理が行われ（図１１のＳ３３０）、特別図柄の変動表示が行われる。これに合わせて、主制御基板２００からは、サブ制御基板２２０に向かって、特別図柄の変動パターン指定コマンドおよび特別図柄の停止図柄指定コマンドが出力される。サブ制御基板２２０は、これらのコマンドを受け取ると、演出表示装置２７上での演出を開始する。そして、先に行われた当り遊技が、２Ｒ確変大当り遊技または小当り遊技であり、その当り遊技中に遊技球が特別通過ゲート３７を通過していた場合には、通過した遊技球の計数値に応じた演出を行うようになっている。以下では、このような演出を行うための図柄変動演出処理について説明する。
【０１０９】
図１９は、演出表示装置２７上の演出内容を制御するために行われる図柄変動演出処理の流れを示したフローチャートである。上述したように、かかる処理は、サブ制御基板２２０に搭載されたＣＰＵ２２１によって実行される処理である。
【０１１０】
図示されるように図柄変動演出処理では、先ず始めに、主制御基板２００からの変動パターン指定コマンドおよび停止図柄指定コマンドを受け取ったか否かを判断する（Ｓ６０２）。図１１を用いて前述したように、これらのコマンドは、主制御基板２００のＣＰＵ２０１が特別図柄の当否判定（大当り抽選）や小当り抽選を行い、その結果を受けて、サブ制御基板２２０に出力するコマンドである。これらのコマンドを受け取っていない場合は（Ｓ６０２：ｎｏ）、そのまま待機状態となる。前述したように、主制御基板２００では図９に示した遊技制御処理が行われており、始動口１７に遊技球が入球すると特別図柄の当否判定処理が行われる。その結果、主制御基板２００から変動パターン指定コマンドおよび停止図柄指定コマンドが出力されてくるので、これらコマンドを受け取ったと判断される（Ｓ６０２：ｙｅｓ）。
【０１１１】
次に、主制御基板２００から受け取ったコマンドに応じて、演出表示装置２７で行う演出内容を決定する（Ｓ６０４）。前述したように、変動パターンは特別図柄の変動表示時間に対応しているから、演出表示装置２７で行う演出内容も、変動パターン指定コマンドによって指定された変動時間に合わせた演出内容を選択する。また、演出表示装置２７上で停止表示させる意匠図柄２７ａ，２７ｂ，２７ｃは、停止図柄指定コマンドによって指定された特別図柄の停止図柄に合わせた図柄が停止表示されるように、演出内容を決定する。
【０１１２】
続いて、サブ制御基板２２０のＣＰＵ２２１は、計数フラグがＯＮに設定されているか否かを判断する（Ｓ６０６）。計数フラグとは、図１８を用いて前述したように、２Ｒ確変大当り遊技または小当り遊技が行われるとＯＮに設定されるフラグである。そして、計数フラグがＯＮに設定されていた場合には（Ｓ６０６：ｙｅｓ）、今度は、報知タイミングか否かを判断する（Ｓ６０８）。これは次のような処理である。
【０１１３】
先ず、本実施例の遊技機１には、２Ｒ確変大当り遊技および小当り遊技が設けられており、これらは大入賞口３１ｄの開口態様も、演出表示装置２７で行われる演出もほとんど同じに設定されているため、遊技者は、何れが発生したのかを容易には区別することができない。その一方で、２Ｒ確変大当り遊技が行われると遊技状態が確変状態に切り換わるが、小当り遊技が行われても遊技状態が切り換わることはない。このため、遊技者は、大入賞口３１ｄが短時間だけ開口する態様の当り遊技が行われると、その当り遊技が、２Ｒ確変大当り遊技なのか小当り遊技なのか、更には、現在の遊技状態が確変状態に切り換わっているのかいないのかを知りたいと、強く願うようになる。
【０１１４】
計数フラグがＯＮに設定されている（Ｓ６０６：ｙｅｓ）ということは、先に、２Ｒ確変大当り遊技または小当り遊技が行われたということであり、従って遊技者は、その当り遊技が２Ｒ確変大当り遊技または小当り遊技の何れであったのか、更に言えば、現在の遊技状態が確変状態に切り換わっているのか否かを知りたいと願っている筈である。そこで、Ｓ６０８では、かかる情報を遊技者に報知するタイミングになったか否かを判断するのである。
【０１１５】
遊技者に報知するタイミングとしては、２Ｒ確変大当り遊技または小当り遊技が行われてからの経過時間が、あまり長くならないことが望ましい。従って、例えば、２Ｒ確変大当り遊技または小当り遊技の終了後、特別図柄の変動表示が、１０回以下の所定回数行われたタイミングで報知を行うことが望ましい。あるいは、所定回数に固定するのではなく、抽選を行って報知するタイミングを決定しても良い。更には、記憶されている計数値に応じて、報知を行うするタイミングを決定しても良い。例えば、計数値が一定値以上あった場合には、１回目の図柄変動時を報知タイミングとし、計数値が０個であった場合は、１０回目の図柄変動時を報知タイミングとし行い、計数値が中間の個数であった場合には、中間の図柄変動回数時を報知タイミングとするようにしても良い。
【０１１６】
そして、報知タイミングであると判断された場合は（Ｓ６０８：ｙｅｓ）、２Ｒ確変大当り遊技または小当り遊技中に、特別通過ゲート３７を通過した遊技球の計数値を読み出した後（Ｓ６１０）、計数値に応じた報知演出内容を取得する（Ｓ６１２）。報知演出の内容は、サブ制御基板２２０のＲＯＭ２２２に予め記憶されている。
【０１１７】
図２０は、特別通過ゲート３７を通過した遊技球の計数値に応じて、報知演出の内容が設定されている様子を示した説明図である。計数値が０の場合には、確変か否かの報知は行わない旨が設定されている。これに対して、１〜３個の計数値に対しては、確変か否かを低信頼度で報知する演出内容が記憶されている。例えば、現在の遊技状態が確変状態であれば、「ひょっとして確変中かも」という内容を表示する画像が記憶されており、確変状態でない場合は、「確変中ではないかも」という内容の画像が記憶されている。また、４〜６個の計数値に対しては、確変か否かを中信頼度で報知する演出内容が記憶されている。例えば、現在の遊技状態が確変状態であれば、「確変、期待してね」という内容の画像が、確変状態でない場合は、「確変は期待しないでね」という内容の画像が記憶されている。更に、７個以上の計数値に対しては、現在の遊技状態が確変状態であれば、「確変中」という内容の画像が、確変状態でない場合は、「確変ではないです」という内容の画像が記憶されている。図１９に示したＳ６１２では、このように計数値に応じて記憶されている報知演出内容を取得する処理を行う。尚、計数値に応じた報知演出内容は、サブ制御基板２２０に搭載されたＲＯＭ２２２に記憶されていることから、サブ制御基板２２０のＲＯＭ２２２は、本発明における「遊技演出内容記憶手段」に対応している。
【０１１８】
続いて、サブ制御基板２２０のＣＰＵ２２１は、取得した報知演出の内容を、先に主制御基板２００から受け取ったコマンドに応じて決定しておいた演出内容に組み込む処理を行う（Ｓ６１４）。すなわち、コマンドに応じて決定された演出表示装置２７上で行われる一連の演出中の所定タイミングの内容を、計数値に応じて取得した報知演出内容に差し替える処理を行う。
【０１１９】
その後、計数フラグをＯＦＦに設定した後（Ｓ６１６）、記憶しておいた計数値を初期化する（Ｓ６１８）。すなわち、サブ制御基板２２０のＲＡＭ２２３の所定アドレスに割り当てられている計数値に「０」を設定した後、決定した演出内容で、演出表示装置２７での図柄変動演出を実施する（Ｓ６２０）。
【０１２０】
一方、計数フラグがＯＮに設定されていない場合や（Ｓ６０６：ｎｏ）、計数フラグはＯＮに設定されているが、報知タイミングではないと判断された場合は（Ｓ６０８：ｎｏ）、計数値に応じた報知演出内容を取得したり（Ｓ６１２）、あるいは取得した報知演出内容を組み込む処理（Ｓ６１４）を行うことなく、主制御基板２００から受け取ったコマンドに応じて決定した演出内容で、図柄変動演出を実施した後（Ｓ６２０）、図１９に示した図柄変動演出処理を終了する。尚、サブ制御基板２２０のＲＯＭ２２２に記憶されている報知演出内容を読み出して、演出を行う処理は、サブ制御基板２２０のＣＰＵ２２１が、図１９の図柄変動演出処理を実行することによって行われている。従って、本実施例のサブ制御基板２２０に搭載されたＣＰＵ２２１は、本発明における「遊技演出実行手段」に対応している。
【０１２１】
以上に説明したように、本実施例の遊技機１では、計数フラグがＯＮに設定されている場合には、現在の遊技状態が確変状態か否かを、計数値に応じた態様で遊技者に報知するようになっている。このため、２Ｒ確変大当り遊技または小当り遊技中に、いわゆる止め打ちが行われることを回避することが可能となっている。以下では、この点について詳しく説明する。
【０１２２】
前述したように、２Ｒ確変大当り遊技および小当り遊技では、大入賞口３１ｄが短時間しか開口しないので、遊技球を発射しても大入賞口３１ｄに入球する可能性は低くなっている。また、２Ｒ確変大当り遊技および小当り遊技は、大入賞口３１ｄの開口態様が良く似ているだけでなく、演出表示装置２７で行われる演出も良く似ているので、遊技者にとっては、何れが行われたのかは容易には区別することが困難となっている。その一方で、２Ｒ確変大当り遊技が行われた場合には、その当り遊技の終了後は確変状態になるが、小当り遊技が行われた場合には、小当り発生時の遊技状態がそのまま維持される。従って、遊技中に大入賞口３１ｄが短時間だけ開口する当り遊技が行われると、遊技者は、その当り遊技が、２Ｒ確変大当り遊技または小当り遊技の何れであるか、更に言えば、現在の遊技状態が確変状態に切り換わっているのか否かを知りたいと願うようになる。
【０１２３】
そこで、本実施例の遊技機１では、２Ｒ確変大当り遊技および小当り遊技中に、特別通過ゲート３７を通過する遊技球数を計数しておく。そして、２Ｒ確変大当り遊技または小当り遊技の終了後は、特別通過ゲート３７を通過した遊技球数の計数値に応じて、現在の遊技状態を遊技者に報知する。すなわち、２Ｒ確変大当り遊技または小当り遊技の終了後に、確変状態に切り換わっているか否かを知るためには、２Ｒ確変大当り遊技および小当り遊技中に、特別通過ゲート３７に遊技球を通過させておく必要がある。このため、２Ｒ確変大当り遊技および小当り遊技中に止め打ちが行われることを回避することが可能となる。
【０１２４】
また、２Ｒ確変大当り遊技または小当り遊技中に特別通過ゲート３７を通過させた遊技球数が多くなるほど、信頼性の高い報知が行われるので、遊技者は、できるだけ多くの遊技球を特別通過ゲート３７に通過させようとする。このため、２Ｒ確変大当り遊技および小当り遊技中に止め打ちが行われることを、より一層確実に回避することが可能となる。
【０１２５】
加えて、図２に示したように、本実施例の遊技機１では、特別通過ゲート３７は中央装置２６の右側に設けられている。そして、中央装置２６の右側を狙って発射された遊技球は、中央装置２６の左側を狙って発射された遊技球よりも、大入賞口３１ｄに入球し難くなっている。このため、２Ｒ確変大当り遊技または小当り遊技中に特別通過ゲート３７を通過させるために発射した遊技球が、大入賞口３１ｄに入球することはほとんどないので、遊技ホールにとっては貸し出した遊技球を回収することが容易となる。すなわち、２Ｒ確変大当り遊技または小当り遊技中に遊技球を発射して特別通過ゲート３７を通過させることで、遊技者にとっては確変状態に切り換わったか否かを知ることができるという利益を与え、遊技ホールにとっては貸し出した遊技球を容易に回収することができるという利益を与えることが可能となる。
【０１２６】
以上、本発明について各種の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１２７】
例えば、上述した実施例では、特別通過ゲート３７を通過した遊技球の計数値に応じて、確変状態か否かを報知する演出を行うものとして説明した。しかし、確変状態か否かを報知する演出に代えて、希にしか発生しないような特別な演出（いわゆるプレミア演出）を行うようにしても良い。この場合、特別通過ゲート３７を通過した遊技球の計数値に応じて、特別な演出の出現率が異なるようにする。このようにしても、遊技者は、特別な演出を見ようとして、２Ｒ確変大当り遊技または小当り遊技中に特別通過ゲート３７を狙って遊技球を発射するので、止め打ちが行われることを回避することが可能となる。
【０１２８】
すなわち、特別通過ゲート３７を通過した遊技球の計数値に応じて行われる演出が「遊技者にとって有益な遊技情報を含む演出」であれば、上述した実施例のように、２Ｒ確変大当り遊技または小当り遊技における止め打ちを効果的に回避することができる。この「遊技者にとって有益な遊技情報」としては、「大当り抽選の結果を事前に示唆する予告情報」や、「大当り抽選の実行条件を示唆する抽選条件情報」や、「種々の演出画像（背景図柄、キャラクタ図柄、予告図柄など）のうち極めて出現率が低い特別演出画像」などが例示できる。なお、上述した実施例の「確変状態か否かを報知する演出」は「抽選条件情報を含む演出」の一種と言え、上述の「希にしか発生しないような特別な演出（いわゆるプレミア演出）」は「特別演出画像を含む演出」の一種と言える。
【０１２９】
また、上述した実施例では、当り種別として「通常大当り」、「確変大当り」、「２Ｒ確変大当り」および「小当り」の４種が設定されているものとして説明したが、これら４種の当り種別のうち、「小当り」を「２Ｒ通常大当り」に置き換えても良い。
【０１３０】
つまり、「２Ｒ通常大当り遊技」の態様を、「２Ｒ確変大当り遊技」と同一の特殊な態様、すなわち大入賞口３１ｄの開口時間が「約０．２秒」で、ラウンド回数が「２回」の特殊な態様とする。また、「２Ｒ通常大当り遊技」で行われる演出を「２Ｒ確変大当り遊技」の演出と同一とし、「２Ｒ通常大当り遊技」が終了した後の遊技状態を通常状態（特別図柄当否判定の確率が通常確率とされる状態）に設定するようにする。そして、「２Ｒ確変大当り遊技」または「２Ｒ通常大当り遊技」の実行中は、特別通過ゲート３７を通過する遊技球数を計数し、「２Ｒ確変大当り遊技」または「２Ｒ通常大当り遊技」の終了後の所定時期に、特別通過ゲート３７を通過した遊技球数の計数値に応じて、現在の遊技状態を遊技者に報知することとする。
【０１３１】
このような構成においても、遊技者にとっては、「２Ｒ確変大当り遊技」および「２Ｒ通常大当り遊技」の何れの大当り遊技が行われたのかを区別するのは困難となり、その大当り遊技終了後の遊技状態（確変か否か）を区別するのも困難となる。よって、「２Ｒ確変大当り遊技」または「２Ｒ通常大当り遊技」の終了後に、特別通過ゲート３７を通過した遊技球数の計数値に応じて、現在の遊技状態を遊技者に報知するようにすることで、「２Ｒ確変大当り遊技」または「２Ｒ通常大当り遊技」における止め打ちを回避することが可能となる。
【図面の簡単な説明】
【０１３２】
【図１】本実施例の遊技機の正面図である。
【図２】遊技盤の盤面構成を示す説明図である。
【図３】本実施例の遊技機に搭載された図柄表示装置の構成を示す説明図である。
【図４】本実施例の遊技機に搭載された演出表示装置の画面構成を示す説明図である。
【図５】本実施例の遊技機における制御回路の構成を示したブロック図である。
【図６】普通図柄が変動表示している様子を概念的に示した説明図である。
【図７】特別図柄が変動表示している様子を概念的に示した説明図である。
【図８】演出表示装置で行われる演出の一態様を例示した説明図である。
【図９】主制御基板に搭載されたＣＰＵが遊技の進行を制御するために行う遊技制御処理の大まかな流れを示したフローチャートである。
【図１０】特別図柄遊技処理を開始するか否かを判断するために行う特別図柄遊技開始判断処理の流れを示すフローチャートである。
【図１１】遊技制御処理の中で行われる特別図柄遊技処理の一部を示したフローチャートである。
【図１２】遊技制御処理の中で行われる特別図柄遊技処理の残りの部分を示したフローチャートである。
【図１３】特別図柄当否判定処理の流れを示すフローチャートである。
【図１４】特別図柄遊技処理において特別図柄の当否判定を行うために参照する当否判定テーブルを概念的に示した説明図である。
【図１５】特別図柄の大当り図柄を決定するために参照される当り図柄決定テーブルを例示した説明図である。
【図１６】特別図柄遊技処理の中で行われる特別電動役物遊技処理の前半部分を示すフローチャートである。
【図１７】特別図柄遊技処理の中で行われる特別電動役物遊技処理の後半部分を示すフローチャートである。
【図１８】大当り遊技また小当り遊技の演出を行うために実行される当り遊技演出処理の流れを示すフローチャートである。
【図１９】演出表示装置上の演出内容を制御するために行われる図柄変動演出処理の流れを示したフローチャートである。
【図２０】特別通過ゲートを通過した遊技球の計数値に応じて報知演出の内容が設定されている様子を示した説明図である。
【符号の説明】
【０１３３】
１…パチンコ機、    １７…始動口、    ２７…演出表示装置、
３１ｄ…大入賞口（可変入球口）、    ３７…特別通過ゲート（通過ゲート）、
２００…主制御基板、
２０１…ＣＰＵ（抽選手段、当り遊技実行手段、確率変動手段）、
２０２…ＲＯＭ（開口態様記憶手段）、    ２２０…サブ制御基板、
２２１…ＣＰＵ（遊技演出実行手段）、２２２…ＲＯＭ（遊技演出内容記憶手段）
【図１】
0005067200.tif 000002
【図２】
0005067200.tif 000003
【図３】
0005067200.tif 000004
【図４】
0005067200.tif 000005
【図５】
0005067200.tif 000006
【図６】
0005067200.tif 000007
【図７】
0005067200.tif 000008
【図８】
0005067200.tif 000009
【図９】
0005067200.tif 000010
【図１０】
0005067200.tif 000011
【図１１】
0005067200.tif 000012
【図１２】
0005067200.tif 000013
【図１３】
0005067200.tif 000014
【図１４】
0005067200.tif 000015
【図１５】
0005067200.tif 000016
【図１６】
0005067200.tif 000017
【図１７】
0005067200.tif 000018
【図１８】
0005067200.tif 000019
【図１９】
0005067200.tif 000020
【図２０】
0005067200.tif 000021